(57)【要約】【課題】着脱自在に構成された球誘導ユニットの取付精度を高めることができる遊技機枠ユニットを提供すること。【解決手段】この遊技機枠ユニットは、供給通路ユニット５１０と、ベース部材５０１に対して着脱自在に構成され、遊技球を送り出す回転体を有する球誘導ユニット５３０と、を備え、実質的に上下方向に沿った直線上に配置されたガイドリブ５７０と規制リブ５３１とを備え、複数の誘導通路から遊技球を交互に回転体に導くように構成されている。【選択図】図２９
2011036329.tif 000002
【特許請求の範囲】
【請求項１】
遊技球の流下に基づく遊技を実現する遊技盤が装着される遊技機枠と、
該遊技機枠の後方に装着されたベース部材と、
該ベース部材の後面側に装着された賞球払出ユニットと、を備える遊技機枠ユニットであって、
前記賞球払出ユニットは、
前記遊技球が通過する供給通路を有する供給通路ユニットと、
前記ベース部材に対して着脱自在であって、該ベース部材の後方から前方に向かって移動して該ベース部材に装着されることにより前記供給通路ユニットの下方に配置されるように構成され、かつ前記供給通路を通過した遊技球を１球ずつ送り出す回転体を有する球誘導ユニットと、
前記球誘導ユニットが前記ベース部材から取り外された状態において前記供給通路ユニットから該球誘導ユニットへの前記遊技球の通過を阻止するとともに、該球誘導ユニットが該ベース部材に装着された状態において該供給通路ユニットから該球誘導ユニットへの該遊技球の通過を許容する球止め部材と、を有しており、
前記球誘導ユニットの上面と対向する前記供給通路ユニットの下面には、前記球誘導ユニットの前記ベース部材への装着時において、前記球誘導ユニットの上面から上方に突出形成されたガイドリブが挿入されることにより該球誘導ユニットの左右方向の移動を規制する溝部が形成されており、
前記ベース部材には、前記球誘導ユニットが該ベース部材に装着された状態において、該球誘導ユニットの左右方向における移動及び後方への移動を規制する第１規制部が形成されており、
前記球誘導ユニットの下方には、該球誘導ユニットが前記ベース部材に装着された状態において、該球誘導ユニットの下面を保持する保持面と、該球誘導ユニットの下面から下方に突出形成された規制リブが挿入されることにより該球誘導ユニットの後方への移動を規制する規制凹部と、を有する第２規制部が設けられており、
前記球止め部材は、前記供給通路ユニットの前記供給通路の一部を塞ぐ第１位置と、該第１位置より前方に配置され、かつ該供給通路を開放する第２位置と、の間を前後方向に移動するスライド部材と、
該スライド部材を前記第１位置に向けて押圧する弾性部材と、を有しており、
該スライド部材は、前記ベース部材に前記球誘導ユニットが装着された状態において、該球誘導ユニットによって押圧されて前記第２位置となり、かつ該ベース部材から該球誘導ユニットが取り外された状態において、前記弾性部材によって押圧されて前記第１位置となるように構成されており、
前記規制リブは、
上下方向に移動可能であって、
上方に押圧されることにより、前記規制凹部との係合が解除されて前記球誘導ユニットの後方への移動規制を解除し、
該押圧が解除されることにより、前記規制凹部と係合して該球誘導ユニットの後方への移動を規制するように構成されており、
前記ガイドリブと前記規制リブとは、実質的に上下方向に沿った直線上に配置されており、
前記球誘導ユニットは、前記供給通路を通過した前記遊技球が流入する第１誘導通路と第２誘導通路とを備え、
前記第１誘導通路と前記第２誘導通路は、前記回転体の上方において該回転体の回転軸方向に隣接して配置されており、
前記回転体の外周には、前記第１誘導通路を通過した遊技球と前記第２誘導通路を通過した遊技球とを交互に保持する保持部が設けられ、かつ前記第１誘導通路の下方において該保持部から突出した第１保持リブと該第２誘導通路の下方において該保持部から突出した第２保持リブとが交互に設けられており、
前記回転体が回転することにより、前記第１保持リブと前記第１誘導通路とが対向した状態と、前記第２保持リブと前記第２誘導通路とが対向した状態と、を交互に実現し、
前記第１保持リブと前記第１誘導通路とが対向した状態では、該第１誘導通路を通過した遊技球は、該第１誘導通路の下方に位置する該第１保持リブ上に載置されて前記保持部への流入を阻止され、かつ前記第２誘導通路を通過した遊技球は、該第２誘導通路の下方に位置する保持部へ流入可能となり、
前記第２保持リブと前記第２誘導通路とが対向した状態では、該第２誘導通路を通過した遊技球は、該第２誘導通路の下方に位置する該第２保持リブ上に載置されて前記保持部への流入を阻止され、かつ前記第１誘導通路を通過した遊技球は、該第１誘導通路の下方に位置する保持部へ流入可能となり、
前記回転体は、前記第１誘導通路からの遊技球と前記第２誘導通路からの遊技球とを交互に送り出す、遊技機枠ユニット。
【発明の詳細な説明】
【技術分野】
【０００１】
本発明は、遊技機枠ユニットに関し、特に遊技球を１球ずつ送り出す回転体を有する球誘導ユニットを着脱自在に構成した遊技機枠ユニットに関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の景品球払出しがされ、一方いずれの入賞口にも入賞せずアウト口に遊技球が流入すれば景品球払出しはされない。遊技者は、弾球における自らの技量を発揮して、又は遊技球の流下における偶然性を利用しつつ遊技球の入賞及び賞球の払出しを期待し、遊技を楽しむのである。
【０００３】
パチンコ機の背面側には、遊技球を遊技領域に向けて発射する発射装置や、遊技者に向けて賞球を払い出すための賞球払出ユニットや、遊技球の発射及び賞球の払出しを制御する制御手段等が配置されている。この制御手段は、遊技領域の入賞口に遊技球が入球したことを契機として、賞球払出ユニットを介して遊技者へ賞球の払出しを実行する。
【０００４】
賞球払出ユニットは、遊技球を送り出す回転体を備えており、回転体の回転によって遊技球を１球ずつ送り出す。回転体は、遊技球の通過によって汚れ等が付着することがあるため、定期的に点検やメンテナンスを行う必要がある。しかし、回転体のメンテナンスを実行するためには、回転体を有する賞球払出ユニットを枠部材から取り外し、賞球払出ユニットを分解して回転体を取り出す必要があり、メンテナンスが煩雑であるという問題点があった。
【０００５】
特許文献１には、このような問題を解決する遊技機として、回転体としての球送り部材を有する球排出ユニットを枠部材から着脱自在に構成した遊技機が記載されている。この球排出ユニットは、枠部材と対向する面（前面）に先端が下方に屈曲した鈎形の取付フックが取り付けられており、下方に突出した取付爪部が下面に取り付けられている。枠部材には、取付フックが係合する縦長の取付穴と、取付爪部が嵌合する嵌合穴と、が形成されている。
【０００６】
球排出ユニットを枠部材に取り付ける際には、球排出ユニットを枠部材の後方から前方に移動して、取付フックを枠部材の取付穴に挿入し、この状態で球排出ユニットを枠部材に対して下方に移動する。このように移動すると、取付フックの先端が取付穴と係合するとともに、取付爪部が嵌合穴と嵌合する。取付フックは、鈎形であり、先端の屈曲部が取付穴と係合する。したがって、球排出ユニットと枠部材の前後及び左右方向の相対移動を規制することができる。
【先行技術文献】
【特許文献】
【０００７】
【特許文献１】特開２００１−７０５７２号公報
【発明の概要】
【発明が解決しようとする課題】
【０００８】
しかし、特許文献１に記載の球排出ユニットにおける枠部材との係合部である取付フック及び取付爪は、枠部材側（前方側）に配置されており、後方側に係合部が配置されていない。球排出ユニット内には、遊技球を通過させるための球通路が設けられている。この球通路は、係合部より後方に位置しているため、球通路内に複数の遊技球がある状態では、球排出ユニットの後方に遊技球の自重が作用する。したがって、球排出ユニットの後方部分の位置ずれが生じ、球詰まり等が発生するおそれがあった。
【０００９】
また、球排出ユニットの上流には、賞球用流路と貸球用流路とが設けられた流路切替ユニットが配置されている。流路切替手段内の賞球用流路又は貸球用流路内の遊技球は、球排出ユニットに向けて流下する。流路切替ユニット内に遊技球がある状態において、球排出ユニットが枠部材から取り外されると、流路切替ユニットから球排出ユニットに向けて流下している遊技球がこぼれてしまうおそれがある。
【００１０】
本発明は、上記の事情に鑑みて為されたものであり、遊技球を１球ずつ送り出す回転体を有する球誘導ユニットを着脱自在に構成した遊技機枠ユニットにおいて、球誘導ユニットの位置ずれを防止し、取付精度を高めることができるとともに、球誘導ユニットの上流側における球こぼれを防止することができる遊技機枠ユニットを提供することを例示的課題とする。
【課題を解決するための手段】
【００１１】
上記の課題を解決するために、本発明の例示的側面としての遊技機枠ユニットは、遊技球の流下に基づく遊技を実現する遊技盤が装着される遊技機枠と、遊技機枠の後方に装着されたベース部材と、ベース部材の後面側に装着された賞球払出ユニットと、を備え、賞球払出ユニットは、遊技球が通過する供給通路を有する供給通路ユニットと、ベース部材に対して着脱自在であって、ベース部材の後方から前方に向かって移動してベース部材に装着されることにより供給通路ユニットの下方に配置されるように構成され、かつ供給通路を通過した遊技球を１球ずつ送り出す回転体を有する球誘導ユニットと、球誘導ユニットがベース部材から取り外された状態において供給通路ユニットから球誘導ユニットへの遊技球の通過を阻止するとともに、球誘導ユニットがベース部材に装着された状態において供給通路ユニットから球誘導ユニットへの遊技球の通過を許容する球止め部材と、を有しており、球誘導ユニットの上面と対向する供給通路ユニットの下面には、球誘導ユニットのベース部材への装着時において、球誘導ユニットの上面から上方に突出形成されたガイドリブが挿入されることにより球誘導ユニットの左右方向の移動を規制する溝部が形成されており、ベース部材には、球誘導ユニットがベース部材に装着された状態において、球誘導ユニットの左右方向における移動及び後方への移動を規制する第１規制部が形成されており、球誘導ユニットの下方には、球誘導ユニットがベース部材に装着された状態において、球誘導ユニットの下面を保持する保持面と、球誘導ユニットの下面から下方に突出形成された規制リブが挿入されることにより球誘導ユニットの後方への移動を規制する規制凹部と、を有する第２規制部が設けられており、球止め部材は、供給通路ユニットの供給通路の一部を塞ぐ第１位置と、第１位置より前方に配置され、かつ供給通路を開放する第２位置と、の間を前後方向に移動するスライド部材と、スライド部材を第１位置に向けて押圧する弾性部材と、を有しており、スライド部材は、ベース部材に球誘導ユニットが装着された状態において、球誘導ユニットによって押圧されて第２位置となり、かつベース部材から球誘導ユニットが取り外された状態において、弾性部材によって押圧されて第１位置となるように構成されており、規制リブは、上下方向に移動可能であって、上方に押圧されることにより、規制凹部との係合が解除されて球誘導ユニットの後方への移動規制を解除し、押圧が解除されることにより、規制凹部と係合して球誘導ユニットの後方への移動を規制するように構成されており、ガイドリブと規制リブとは、実質的に上下方向に沿った直線上に配置されており、球誘導ユニットは、供給通路を通過した遊技球が流入する第１誘導通路と第２誘導通路とを備え、第１誘導通路と第２誘導通路は、回転体の上方において回転体の回転軸方向に隣接して配置されており、回転体の外周には、第１誘導通路を通過した遊技球と第２誘導通路を通過した遊技球とを交互に保持する保持部が設けられ、かつ第１誘導通路の下方において保持部から突出した第１保持リブと第２誘導通路の下方において保持部から突出した第２保持リブとが交互に設けられており、回転体が回転することにより、第１保持リブと第１誘導通路とが対向した状態と、第２保持リブと第２誘導通路とが対向した状態と、を交互に実現し、第１保持リブと第１誘導通路とが対向した状態では、第１誘導通路を通過した遊技球は、第１誘導通路の下方に位置する第１保持リブ上に載置されて保持部への流入を阻止され、かつ第２誘導通路を通過した遊技球は、第２誘導通路の下方に位置する保持部へ流入可能となり、第２保持リブと第２誘導通路とが対向した状態では、第２誘導通路を通過した遊技球は、第２誘導通路の下方に位置する第２保持リブ上に載置されて保持部への流入を阻止され、かつ第１誘導通路を通過した遊技球は、第１誘導通路の下方に位置する保持部へ流入可能となり、回転体は、第１誘導通路からの遊技球と第２誘導通路からの遊技球とを交互に送り出すように構成されている。
【００１２】
賞球払出ユニットは、遊技機枠の後方に装着されたベース部材の後面側に装着されており、遊技球が通過する供給通路を有する供給通路ユニットと、供給通路を通過した遊技球が流入する球誘導ユニットと、球誘導ユニットからの球こぼれを防止する球止め部材と、を備える。球誘導ユニットは、ベース部材に対して着脱自在に構成されている。また、球誘導ユニットは、ベース部材の後方から前方に向かって移動してベース部材に装着されることにより、供給通路ユニットの下方に配置される。球誘導ユニットがベース部材に対して着脱自在に構成されていることにより、球誘導ユニットを容易に取り外して点検等のメンテナンスを行うことができ、メンテナンスの作業効率を高めることができる。
【００１３】
球誘導ユニットの上面と対向する供給通路ユニットの下面には、球誘導ユニットのベース部材への装着時において、球誘導ユニットの上面から上方に突出形成されたガイドリブが挿入されることにより球誘導ユニットの左右方向の移動を規制する溝部が形成されている。ガイドリブと溝部との係合によって、ベース部材への装着時における球誘導ユニットの左右方向の移動を規制することができる。
【００１４】
ガイドリブ及び溝部を備えることにより、球誘導ユニットをベース部材に装着する際に左右方向の位置ずれを低減することができるとともに、位置決めを容易に行うことができる。位置決めを容易に行うことができることにより、球誘導ユニットの取付作業の効率を高めることができる。更に、ベース部材に対する球誘導ユニットの位置ずれを防止することにより、球誘導ユニットと供給通路ユニットとの位置ずれも防止して、球誘導ユニットの取付精度を高めることができる。
【００１５】
具体的な構成としては、例えば、前後方向に沿ったガイドリブを球誘導ユニットの供給通路ユニット側に突設して、供給通路ユニットのガイドリブと対向する位置にガイドリブが挿入可能な溝部を前後方向に沿って形成した構成を例示できる。球誘導ユニットを装着する際には、ガイドリブを供給通路ユニットの溝部に挿入して、球誘導ユニットを供給通路ユニットに対して前方に移動する。
【００１６】
この構成によれば、ガイドリブを供給通路ユニットの溝部に挿入することにより、球誘導ユニットと供給通路ユニットの位置決めを容易に行うことができ、取付作業の効率を高めることができる。また、ガイドリブと溝部とを沿わせつつ球誘導ユニットを装着するため、球誘導ユニットと供給通路ユニットとの位置ずれを防止し、取付精度を高めることができる。
【００１７】
更に、ベース部材には、球誘導ユニットをベース部材に装着した状態において、球誘導ユニットの左右方向における移動と後方への移動を規制する第１規制部が形成されている。この第１規制部をベース部材に形成することにより、球誘導ユニットをベース部材に装着した状態において、左右方向及び後方向への位置ずれを低減することができる。
【００１８】
球誘導ユニットは、後方から前方に移動してベース部材に装着されており、装着状態において球誘導ユニットが後方に移動すると、球誘導ユニットがベース部材から外れてしまうことがある。また、外れない場合であっても、球誘導ユニットの位置ずれが生じるおそれがある。球誘導ユニットの位置ずれが生じると、供給通路ユニットと球誘導ユニットとの位置ずれが生じ、供給通路ユニットの供給通路から球誘導ユニットへの円滑な遊技球の通過が阻害され、遊技球の球詰まりが生じするおそれがある。
【００１９】
しかし、球誘導ユニットがベース部材に装着された状態において球誘導ユニットの左右方向における移動及び後方への移動を規制する第１規制部を設けることにより、球誘導ユニットの移動を規制して、球誘導ユニットの位置ずれを防止することができる。
【００２０】
第１規制部の具体的な構成としては、例えば、球誘導ユニットの左側面（又は右側面）と後面とを保持する屈曲部であって、球誘導ユニットから離間する左方（又は右方）に向けて変形可能な構成を例示できる。球誘導ユニットをベース部材に装着する際には、屈曲部を球誘導ユニットから離間する方向に変形させて、屈曲部と球誘導ユニットとが干渉しないようにする。球誘導ユニットが取付位置まで移動した後、屈曲部の変形を解除することにより、屈曲部によって球誘導ユニットの左側面（又は右側面）と後面とを保持することができる。
【００２１】
この構成によれば、隣接する二側面及び角部を保持することができ、球誘導ユニットの安定性を更に高めることができる。また、屈曲部を球誘導ユニットから離間する方向に変形することによって、屈曲部と球誘導ユニットとの係合を容易に解除することができ、球誘導ユニットの着脱操作を容易に行うことができる。
【００２２】
更に、球誘導ユニットの下方には、球誘導ユニットがベース部材に装着された状態において、球誘導ユニットの下面を保持する保持面と、球誘導ユニットの下面から下方に突出形成された規制リブが挿入されることにより球誘導ユニットの後方への移動を規制する規制凹部と、を有する第２規制部が設けられている。第２規制部を備えることにより、球誘導ユニットの下方向及び後方向への位置ずれを防止することができる。
【００２３】
なお、第２規制部は、球誘導ユニットの下方に設けられていればよく、賞球払出ユニットを通過した遊技球が流入する賞球供給通路に設けられていてもよいし、ベース部材に設けられていてもよいし、球誘導ユニット及び供給通路ユニット以外の賞球払出ユニットに設けられていてもよいし、遊技機枠に設けられていてもよい。
【００２４】
更に、球誘導ユニットがベース部材に装着された状態において、第１規制部と第２規制部とによって複数箇所にて球誘導ユニットの後方への移動を規制しているため、球誘導ユニットの安定性が更に高まり、供給通路ユニットと球誘導ユニットとの位置ずれによる球詰まりを効果的に防止することができる。なお、前方及び後方とは、遊技機枠を正面から視認した際の前方（手前側）を前方としており、遊技機枠の背面側を後方としている。
【００２５】
また、賞球払出ユニットは、球誘導ユニットがベース部材から取り外された状態において供給通路ユニットから球誘導ユニットへの遊技球の通過を阻止するとともに、球誘導ユニットがベース部材に装着された状態において供給通路ユニットから球誘導ユニットへの遊技球の通過を許容する球止め部材と、を備えている。
【００２６】
球止め部材は、供給通路ユニットの供給通路の一部を塞ぐ第１位置と、第１位置より前方に配置され、かつ供給通路を開放する第２位置と、の間を前後方向に移動するスライド部材と、スライド部材を第１位置に向けて押圧する弾性部材と、を有している。スライド部材は、ベース部材に球誘導ユニットが装着された状態において、球誘導ユニットによって押圧されて第２位置となり、ベース部材から球誘導ユニットが取り外された状態において、弾性部材によって押圧されて第１位置となるように構成されている。
【００２７】
球誘導ユニットの回転体は、供給通路ユニットの供給通路を通過した遊技球が流入するように構成されており、供給通路ユニットの供給通路と球誘導ユニットの球通路は連通している。また、球誘導ユニットは、ベース部材に対して着脱自在に構成されており、例えば供給通路内に遊技球がある状態においてベース部材から球誘導ユニットが外れると、供給通路内の遊技球がこぼれてしまうおそれがある。
【００２８】
しかし、球誘導ユニットがベース部材から取り外された状態において供給通路ユニットから球誘導ユニットへの遊技球の通過を阻止するとともに、球誘導ユニットがベース部材に装着された状態において供給通路ユニットから球誘導ユニットへの遊技球の通過を許容する球止め部材を更に備えることにより、球誘導ユニットをベース部材から取り外した状態において、供給通路から遊技球がこぼれることを防ぐことができる。
【００２９】
スライド部材は、ベース部材に球誘導ユニットが装着された状態において、球誘導ユニットによって押圧されて第２位置となり、ベース部材から球誘導ユニットが取り外された状態において、弾性部材によって押圧されて第１位置となり、球誘導ユニットの取付状態に応じて球止め部材の位置を異ならせることができる。
【００３０】
具体的には、例えば、供給通路における遊技球の流出口の一部を塞ぐ第１位置と開放する第２位置との間を移動可能なスライド部材であって、球誘導ユニットが装着されることにより球誘導ユニットによって前方に押圧され流出口を開放する第２位置となる構成を例示できる。スライド部材は、供給通路から遊技球が落下しないように流出口の一部を塞ぐ第１位置と、第１位置より前方であって流出口を開放する第２位置と、の間を前後方向に移動可能とする。また、第２位置にあるスライド部材を第１位置に向けて押圧する弾性部材を設ける。
【００３１】
この構成によれば、球誘導ユニットをベース部材に装着した状態では、スライド部材は、球誘導ユニットによって第２位置に押圧され、供給通路ユニットから球誘導ユニットへの遊技球の通過を許容する。一方、球誘導ユニットをベース部材から取り外した状態では、スライド部材は、弾性部材によって第１位置に押圧され、供給通路ユニットから球誘導ユニットへの遊技球の通過を遮断して、遊技球のこぼれを防止することができる。
【００３２】
なお、球止め部材は、弾性部材及び球誘導ユニットの押圧によって遊技球の通過を阻止する状態と許容する状態とを実現する構成のみならず、モータ等の駆動手段を用いて遊技球の通過を阻止する状態と許容する状態とを実現するように構成してもよい。しかし、球誘導ユニットの取付状態に基づいて球止め部材が移動するように構成することより、駆動手段を用いる構成と比べて、部品点数の低減を図るとともに、賞球払出ユニットの小型化を図ることができる。
【００３３】
また、球止め部材とともに、ガイドリブ、第１規制部、及び第２規制部を設けることにより、更に効果的に供給通路からの球こぼれを防止することができる。球止め部材のスライド部材は、球誘導ユニットの取り外し及び取付けによって第１位置と第２位置との間を移動するように構成されており、球誘導ユニットの取り外し方向がずれたり、球誘導ユニットの取り外し方向への移動速度が早すぎたりすると、スライド部材が確実に第１位置に移動せず、スライド部材が第１位置に移動する過程において球こぼれが発生するおそれがある。
【００３４】
しかし、ガイドリブを備えていることにより、球誘導ユニットの取り外し方向のずれを防止することができるため、スライド部材を確実に第１位置に移動することができる。更に、第１規制部及び第２規制部を備えることにより、第１規制部及び第２規制部による規制解除をしつつ球誘導ユニットを取り外すため、球誘導ユニットの取り外しが慎重になり、その移動速度も低減することができるため、スライド部材が第１位置に移動する過程における球こぼれを確実に防止することが可能となる。
【００３５】
また、球止め部材は、供給通路ユニットに設けられていてもよいし、球誘導ユニット及び供給通路ユニット以外の賞球払出ユニットに設けられていてもよいし、遊技機枠に設けられていてもよい。
【００３６】
ガイドリブは、球誘導ユニットの上面より上方に突出して形成されており、溝部は、球誘導ユニットの上面と対向する供給通路ユニットの下面に形成されている。第２規制部は、球誘導ユニットの下面を保持する保持面と、下面から下方に突出形成された規制リブが挿入されることにより球誘導ユニットの後方への移動を規制する規制凹部と、を備えている。規制リブは、上下方向に移動可能であって、上方に押圧されることにより、規制凹部との係合が解除されて球誘導ユニットの後方への移動規制を解除し、押圧が解除されることにより、規制凹部と係合して球誘導ユニットの後方への移動を規制するように構成されており、ガイドリブと規制リブとは、実質的に上下方向に沿った直線上に配置されているように構成されている。
【００３７】
球誘導ユニットの上面からはガイドリブが突出して形成されており、下面からは規制リブが突出して形成されている。球誘導ユニットの上面と対向する供給通路ユニットの下面には、ガイドリブが挿入される溝部が形成されている。ガイドリブが溝部に挿入することにより、球誘導ユニットと供給通路ユニットとの左右方向の移動を規制することができる。
【００３８】
第２規制部は、球誘導ユニットの下面を保持する保持面と、球誘導ユニットの下面から突出した規制リブの挿入により球誘導ユニットの後方への移動を規制する規制凹部と、を有する。規制リブは、上下方向に移動可能であって、上方に押圧されることにより規制凹部との係合が解除されて球誘導ユニットの後方への移動規制を解除し、押圧が解除されることにより規制凹部と係合して球誘導ユニットの後方への移動を規制するように構成されており、規制リブと規制凹部との係合により、球誘導ユニットの後方への移動を規制したり、規制を解除したりすることができる。
【００３９】
ガイドリブは、規制リブの上方であって、かつ規制リブと上下方向に沿った直線上に配置されている。規制リブと規制凹部との係合を解除するためには、規制リブを上方に押圧する。規制リブの押圧方向には、ガイドリブと溝部とが設けられ、左右方向への移動を規制しているため、規制リブに対する押圧力が上方に向かって直線状に作用し、規制リブへの押圧力を効果的に球誘導ユニットに付与することが可能となる。
【００４０】
更に、球誘導ユニットは、供給通路を通過した遊技球が流入する第１誘導通路と第２誘導通路とを備え、第１誘導通路と第２誘導通路は、回転体の上方において回転体の回転軸方向に隣接して配置されており、回転体の外周には、第１誘導通路を通過した遊技球と第２誘導通路を通過した遊技球とを交互に保持する保持部が設けられ、かつ第１誘導通路の下方において保持部から突出した第１保持リブと第２誘導通路の下方において保持部から突出した第２保持リブとが交互に設けられており、回転体が回転することにより、第１保持リブと第１誘導通路とが対向した状態と、第２保持リブと第２誘導通路とが対向した状態と、を交互に実現する。
【００４１】
第１保持リブと第１誘導通路とが対向した状態では、第１誘導通路を通過した遊技球は、第１誘導通路の下方に位置する第１保持リブ上に載置されて保持部への流入を阻止され、かつ第２誘導通路を通過した遊技球は、第２誘導通路の下方に位置する保持部へ流入可能となり、第２保持リブと第２誘導通路とが対向した状態では、第２誘導通路を通過した遊技球は、第２誘導通路の下方に位置する第２保持リブ上に載置されて保持部への流入を阻止され、かつ第１誘導通路を通過した遊技球は、第１誘導通路の下方に位置する保持部へ流入可能となり、回転体は、第１誘導通路からの遊技球と第２誘導通路からの遊技球とを交互に送り出すように構成されている。
【００４２】
球誘導ユニットに第１誘導通路と第２誘導通路を設け、第１誘導通路を通過した遊技球と第２誘導通路を通過した遊技球とを交互に回転体に導くように構成することにより、１個の回転体を用いて２つの誘導通路を通過した遊技球を偏りなく送り出すことができる。
【００４３】
回転体の外周には、第１誘導通路を通過した遊技球と第２誘導通路を通過した遊技球とを交互に保持する保持部が設けられている。また、回転体の外周には、第１誘導通路の下方において保持部から突出した第１保持リブと、第２誘導通路の下方において保持部から突出した第２保持リブと、が交互に設けられている。このように構成された回転体が回転することにより、第１保持リブと第１誘導通路とが対向した状態と、第２保持リブと第２誘導通路とが対向した状態と、を交互に実現することができる。
【００４４】
また、第１保持リブと第１誘導通路とが対向した状態では、第１誘導通路から保持部への遊技球の流入を阻止するとともに第２誘導通路から保持部への遊技球の流入を許容し、かつ第２保持リブと第２誘導通路とが対向した状態では、第２誘導通路から保持部への遊技球の流入を阻止するとともに第１誘導通路から保持部への遊技球の流入を許容するように構成されている。したがって、第１誘導通路からの遊技球と、第２誘導通路からの遊技球と、を交互に保持部へ導くことができる。
【００４５】
具体的には、例えば、第１保持リブと第１誘導通路とが対向した状態では、第１誘導通路から保持部へ向かう遊技球の通過領域の一部を塞ぎ、通過領域を遊技球の直径未満とする構成を例示できる。このように、第１保持リブを構成するとともに、第２誘導通路に対向した位置に第２保持リブを設けることにより、第１誘導通路と対向した状態において、第１誘導通路から保持部への遊技球の通過を阻止するとともに、第２誘導通路と対向した状態において、第２誘導通路から保持部への遊技球の通過を阻止することができる。
【００４６】
本発明の更なる目的又はその他の特徴は、以下添付図面を参照して説明される好ましい実施の形態によって明らかにされるであろう。
【発明の効果】
【００４７】
本発明によれば、球誘導ユニットがベース部材に対して着脱自在に構成されていることにより、球誘導ユニットを容易に取り外して点検等のメンテナンスを行うことができ、メンテナンスの作業効率を高めることができる。更に、球誘導ユニットの装着時において球誘導ユニットの左右方向の移動を規制するガイドリブ及び溝部を備えているため、球誘導ユニットをベース部材に装着する際における位置決めを容易に行うことができるとともに位置ずれを低減することができる。
【００４８】
また、ベース部材は、球誘導ユニットをベース部材に装着した状態において、球誘導ユニットの左右方向と後方への移動を規制する第１規制部を備えており、球誘導ユニットをベース部材に装着した状態において、左右方向及び後方向への位置ずれを低減することができる。更に、球誘導ユニットをベース部材に装着した状態において球誘導ユニットの下面を保持するとともに球誘導ユニットの後方への移動を規制する第２規制部が球誘導ユニットの下方に設けられているため、球誘導ユニットの下方向及び後方向への位置ずれを低減することができる。球誘導ユニットの安定性を高め、供給通路ユニットと球誘導ユニットとの間における位置ずれによる球詰まりを防止することができる。
【００４９】
また、ガイドリブと規制リブとは、実質的に上下方向に沿った直線上に配置されており、規制リブの押圧方向には、ガイドリブと溝部とが設けられ、左右方向の移動を規制しているため、規制リブに対する押圧力が上方に向かって直線状に作用し、規制リブへの押圧力を効果的に球誘導ユニットに付与することが可能となる。
【００５０】
更に、球誘導ユニットがベース部材から取り外された状態において供給通路ユニットから球誘導ユニットへの遊技球の通過を阻止するとともに、球誘導ユニットがベース部材に装着された状態において供給通路ユニットから球誘導ユニットへの遊技球の通過を許容する球止め部材を更に備えることにより、球誘導ユニットをベース部材から取り外した状態において、供給通路から遊技球がこぼれることを防ぐことができる。
【００５１】
加えて、第１誘導通路の下方において保持部から突出した第１保持リブと、第２誘導通路の下方において保持部から突出した第２保持リブと、が交互に設けられた回転体を備えることにより、第１保持リブと第１誘導通路とが対向した状態と、第２保持リブと第２誘導通路とが対向した状態と、を交互に実現して、第１誘導通路からの遊技球と、第２誘導通路からの遊技球と、を交互に保持部へ導くことができる。
【図面の簡単な説明】
【００５２】
【図１】本発明の実施の形態１に係るパチンコ機の正面図である。
【図２】図１に示すパチンコ機の背面図である。
【図３】図２に示すパチンコ機からカバー部材と遊技盤ユニットを外した状態の背面図である。
【図４】右後方から視認したパチンコ機の賞球払出ユニット部分の拡大斜視図である。
【図５】右前方から視認した賞球払出ユニットの斜視図である。
【図６】右前方から視認した賞球払出ユニットの斜視図である（球誘導ユニットと賞球ユニットとを分離した状態）。
【図７】図４に示すパチンコ機の背面斜視図において球誘導ユニットをベース部材から取り外した状態を示した図である。
【図８】図４に示すパチンコ機を左後方から見た背面斜視図である。
【図９】球誘導ユニットの底面図である。
【図１０】図３に示すＡ−Ａ断面図である。
【図１１】右供給構成部を外した状態の賞球払出ユニットの右側面図である。
【図１２】左供給構成部を外した状態の賞球払出ユニットの左側面図である。
【図１３】右供給構成部、左供給構成部、及び中央誘導構成部を分解した状態の賞球払出ユニットを左後方から視認した斜視図である。
【図１４】右供給構成部、左供給構成部、及び中央誘導構成部を分解した状態の賞球払出ユニットを右前方から視認した斜視図である。
【図１５】ガイド部を外した状態の球誘導ユニットの回転体部分を拡大した斜視図である。
【図１６】実施の形態２に係る賞球払出ユニット部分を拡大したパチンコ機の背面図である。
【図１７】実施の形態２に係る賞球払出ユニット部分を拡大したパチンコ機の背面図である。
【図１８】第１供給通路ユニット、球誘導ユニット、及び第２供給通路ユニットを分解した状態の賞球払出ユニットを左上方から視認した斜視図である。
【図１９】第１供給通路ユニット、球誘導ユニット、及び第２供給通路ユニットを分解した状態の賞球払出ユニットを右下方から視認した斜視図である。
【図２０】第２規制部を模式的に示した断面図である。
【図２１】球止め部材を模式的に示した断面図である。
【図２２】回転体を模式的に示した図である。
【図２３】実施の形態３に係る賞球払出ユニットを有するパチンコ機の背面図である。
【図２４】図２３に示す賞球払出ユニットの背面図である。
【図２５】右後方から視認したパチンコ機の賞球払出ユニット部分の拡大斜視図である。
【図２６】左後方から視認したパチンコ機の賞球払出ユニット部分の拡大斜視図である。
【図２７】図２４に示すＢ−Ｂ断面図である。
【図２８】図２４に示す回転体を模式的に示した斜視図である。
【図２９】図２７に示す回転体と球誘導通路を模式的に示した図である。
【図３０】回転体の回転態様を模式的に示した回転体の右側面図である。
【図３１】図３０に示すＣ−Ｃ断面において回転体の回転態様を模式的に示した図である。
【図３２】誘導リブと排出通路の位置関係を模式的に示した図である。
【図３３】図３２に示すＤ−Ｄ断面図である。
【図３４】球止め部材による遊技球の通過を阻止した球止め状態と遊技球の通過を許可した状態とを模式的に示した断面図である。
【図３５】球止め部材による遊技球の通過を阻止した球止め状態と遊技球の通過を許可した状態とを模式的に示した底面図である。
【図３６】変形例１に係る球誘導ユニットにおける中空穴部と貫通孔部との位置関係を模式的に示した図である。
【図３７】操作部材によって回転体を操作している状態を模式的に示した図である。
【発明を実施するための形態】
【００５３】
＜実施の形態１＞
以下、本発明の実施の形態１について図面を用いて説明する。図１は、本発明の実施の形態１に係る遊技機としてのパチンコ機２の正面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００５４】
パチンコ機２は、遊技者が後述する発射装置ハンドル１５を操作することによって、遊技領域１６に向けて遊技球２３が発射ユニットによって発射され、遊技球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００５５】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００５６】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠ユニットは、遊技盤ユニット５を保持する前枠と、後述する賞球払出ユニット１００と、によって構成されている。
【００５７】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００５８】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００５９】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００６０】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００６１】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００６２】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００６３】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されるとともに、センター役物７の中央部には、演出表示装置７ａが配置されている。
【００６４】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００６５】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００６６】
遊技盤６の裏面側には、パチンコ機２の全体の制御を行う遊技制御手段としての主制御基板を収容した主制御基板ケース３５と、演出表示装置７ａの画像表示等の演出制御を行う演出制御基板を収容した演出制御基板ケース３６と、後述する賞球払出ユニット１００による賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。主制御基板ケース３５と演出制御基板ケース３６とは、遊技盤ユニット５の後面に装着されており、遊技盤ユニット５と共に前枠９に対して着脱自在である。
【００６７】
更に、遊技盤６の裏面側には、パチンコ機２の遊技状態等の遊技情報を外部に出力するための外部出力端子板３９が設けられている。また、パチンコ機２の背面側には、演出制御基板ケース３６及び賞球払出ユニット１００の一部を覆うカバー部材４２が設けられている。
【００６８】
また、図２に示すように、パチンコ機２の背面には、パチンコ機２が設置されるホールの設備から供給された遊技球２３を一時的に貯留する球貯留タンク４０ａと、球貯留タンク４０ａによって貯留した遊技球２３を整流する球レール４０ｂと、を有する球貯留ユニット４０、球貯留ユニット４０の球レール４０ｂによって整流された遊技球２３が流入し、この遊技球２３を１球ずつ通過させる賞球払出ユニット１００、及び賞球払出ユニット１００を通過した遊技球２３を球皿１４に向かって導く賞球供給通路４１、が設けられている。賞球払出ユニット１００は、払出制御基板によって駆動制御されるように構成されており、各種入賞口への遊技球２３の入球や、遊技者からの遊技球２３の貸出し要求に応じて、遊技者に遊技球２３を供給するように構成されている。この賞球払出ユニット１００については後述する。
【００６９】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものはゲージに衝突しつつ遊技領域１６内を下方に流下し、あるものは普通入賞口２８に流入して一定数の景品球払出しの契機となり、あるものはいずれの入球装置にも流入せずに遊技領域１６内最下部に位置するアウト口３０に流入してアウト球としてパチンコ機２の外部側へと排出される。
【００７０】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の景品球が球皿１４へと払い出されるようになっている。
【００７１】
次いで、図３から図１５に基づいて実施の形態１に係る賞球払出ユニット１００について詳細に説明する。図３は、図２に示すパチンコ機２から背面を覆うカバー部材４２と遊技盤ユニット５とを外した状態の背面図である。図４は、図３に示すパチンコ機２を右後方から視認した斜視図であって、賞球払出ユニット１００部分を拡大している。
【００７２】
賞球払出ユニット１００は、遊技盤６を内包する前枠９に装着されており、遊技球２３が通過する供給通路を有する供給通路ユニット１１０と、供給通路を通過した遊技球２３が流入し、遊技球２３を１球ずつ送り出す回転体１４１を有する球誘導ユニット１３０と、を備えている。
【００７３】
図５及び図６は、賞球払出ユニット１００を右前方から視認した斜視図である。球誘導ユニット１３０は、供給通路ユニット１１０に対して着脱自在に構成されており、図５は、球誘導ユニット１３０を供給通路ユニット１１０に装着した状態を示しており、図６は、球誘導ユニット１３０を供給通路ユニット１１０から取り外した状態を示している。球誘導ユニット１３０は、供給通路ユニット１１０の後方から前方に向かって移動して、供給通路ユニット１１０に装着されるように構成されている。
【００７４】
賞球払出ユニット１００は、球誘導ユニット１３０の装着時において球誘導ユニット１３０の左右方向の移動を規制するガイドリブ１７０を備えている。また、球誘導ユニット１３０を供給通路ユニット１１０に装着した状態において、球誘導ユニット１３０の左右方向への移動及び後方への移動を規制する第１規制部１５０と、球誘導ユニット１３０の下面を保持し、球誘導ユニット１３０の後方への移動を規制する第２規制部１６０と、を備える。
【００７５】
ガイドリブ１７０は、供給通路ユニット１１０の左側面１１０ｂの下端部に設けられている。ガイドリブ１７０は、供給通路ユニット１１０の左側面１１０ｂに沿って配置され、かつ供給通路ユニット１１０の底面（下面）１１０ｄより下方に突出した板部材である。ガイドリブ１７０の右側面１７０ａは、球誘導ユニット１３０の左側面１３０ｂと当接するように配置されている。球誘導ユニット１３０を供給通路ユニット１１０に装着する際には、球誘導ユニット１３０の左側面１３０ｂをガイドリブ１７０の右側面１７０ａと当接させた状態で、ガイドリブ１７０に沿わせつつ球誘導ユニット１３０を前方に向けて移動する。
【００７６】
このように球誘導ユニット１３０を装着することにより、球誘導ユニット１３０の左右方向における位置決めを容易に行うことができ、球誘導ユニット１３０の取付作業の効率を向上させることができる。更に、ガイドリブ１７０を設けることにより、供給通路ユニット１１０に対する球誘導ユニット１３０の位置ずれを低減して、球誘導ユニット１３０の取付精度を高めることができる。
【００７７】
第１規制部１５０は、前枠９の後面９ｆから後方に向かって突設されており、球誘導ユニット１３０の右側面１３０ａと係合する（例えば、図４参照）。第１規制部１５０は、球誘導ユニット１３０の右側面１３０ａに沿って設けられた板状の側面部１５１と、側面部１５１の後端に設けられた爪部１５２と、を有する。側面部１５１は、球誘導ユニット１３０の右側面１３０ａと当接し、球誘導ユニット１３０の右方向への移動を規制している。すなわち、球誘導ユニット１３０は、ガイドリブ１７０と第１規制部１５０とによって左右方向の移動を規制される。
【００７８】
爪部１５２は、球誘導ユニット１３０が供給通路ユニット１１０に装着された状態において、球誘導ユニット１３０の後面１３０ｆと当接し、球誘導ユニット１３０の後方への移動を規制する。側面部１５１は、外力が加えられることにより、側面部１５１の前端部１５１ｅ（側面部１５１の根元部）を中心に図示するＸ方向に湾曲するように構成されている。側面部１５１が湾曲した湾曲状態としたり、この湾曲状態を解除したりすることにより、球誘導ユニット１３０の後方への移動規制を解除したり、後方への移動を規制したりすることができる。
【００７９】
具体的には、球誘導ユニット１３０を供給通路ユニット１１０に装着する際には、爪部１５２と球誘導ユニット１３０とが干渉しないように側面部１５１をＸ方向に湾曲させる。側面部１５１を湾曲させることにより、爪部１５２と球誘導ユニット１３０との干渉を防ぎつつ球誘導ユニット１３０を供給通路ユニット１１０に装着することができる。そして、球誘導ユニット１３０が前枠９の後面９ｆと当接するまで球誘導ユニット１３０を前方に移動した後に、側面部１５１の湾曲状態を解除することにより、爪部１５２が球誘導ユニット１３０の後面１３０ｆに当接し、球誘導ユニット１３０の後方への移動を規制することができる。
【００８０】
また、球誘導ユニット１３０を供給通路ユニット１１０から取り外す際には、側面部１５１をＸ方向へ湾曲させて爪部１５２と球誘導ユニット１３０の後面１３０ｆとの係合を解除する。爪部１５２と球誘導ユニット１３０の後面１３０ｆとの係合を解除することにより、第１規制部１５０による球誘導ユニット１３０の後方への移動規制を解除することができる。このように構成された第１規制部１５０を設けることにより、球誘導ユニット１３０を供給通路ユニット１１０に装着した状態における左右方向及び後方向への位置ずれを低減することができる。
【００８１】
また、球誘導ユニット１３０が供給通路ユニット１１０に取り付けられた状態において、球誘導ユニット１３０の前面１３０ｅは、前枠９の後面９ｆと当接しており、この後面９ｆは、第３規制部として機能し、球誘導ユニット１３０の前方への移動を規制している。
【００８２】
更に、賞球払出ユニット１００の下方には、賞球払出ユニット１００を通過した遊技球２３を球皿１４に供給する賞球供給通路４１が設けられており、この賞球供給通路４１には、球誘導ユニット１３０の底面１３０ｄを保持するとともに、球誘導ユニット１３０が供給通路ユニット１１０に装着された状態において球誘導ユニット１３０の後方への移動を規制する第２規制部１６０が設けられている（例えば、図７及び図８参照）。図７は、図４に示すパチンコ機２の背面斜視図において球誘導ユニット１３０を取り外した状態を示した図である。図８は、図４に示すパチンコ機２を左後方から見た背面斜視図である。
【００８３】
第２規制部１６０は、球誘導ユニット１３０の底面１３０ｄを保持する保持面１６１と、球誘導ユニット１３０の底面１３０ｄに突設された突起部１３２ｂ（例えば、図９参照）の挿入により球誘導ユニット１３０の後方への移動を規制する規制凹部１６２と、を有している。図９は、球誘導ユニット１３０の底面図である。図１０は、図３に示すＡ−Ａ断面図である。なお、保持面１６１は、球誘導ユニット１３０の底面１３０ｄを保持する賞球供給通路４１の上面４１ｃによって構成されている。
【００８４】
球誘導ユニット１３０の底面１３０ｄには、左側面１３０ｂ側に開口した２本のスリット１３３が形成されており、このスリット１３３間に左側面側に延設された延設部１３２が設けられている。また、球誘導ユニット１３０の左側面１３０ｂには、延設部１３２の上方に向けて開口形成された延設穴部１３４が設けられている。
【００８５】
延設部１３２には、球誘導ユニット１３０の底面１３０ｄより下方に突出した突起部１３２ｂが形成されている。突起部１３２ｂは、前後方向に傾斜した傾斜面１３２ｃを有し、後方に向かって傾斜面１３２ｃの高さ（下方への突出高さ）が高くなっている。延設部１３２は、右側に位置する基端部１３２ａを中心に上方に湾曲可能に構成されている。延設部１３２が上方に湾曲した状態において、突起部１３２ｂの傾斜面１３２ｃの頂点（突起部の最下点）１３２ｄは、球誘導ユニット１３０の底面１３０ｄより上方に位置し、賞球供給通路４１の上面４１ｃと干渉しないように構成されている。
【００８６】
球誘導ユニット１３０を供給通路ユニット１１０に装着する際には、球誘導ユニット１３０の底面１３０ｄを賞球供給通路４１の上面４１ｃと当接するように配置して、球誘導ユニット１３０を前方に向けて移動する。このとき、球誘導ユニット１３０の突起部１３２ｂの傾斜面１３２ｃが賞球供給通路４１の上面４１ｃと接触して、延設部１３２が上方に湾曲する。この延設部１３２が上方に湾曲した状態で球誘導ユニット１３０を前方に移動し続けると、延設部１３２の頂点１３２ｄが規制凹部１６２内に落入し、延設部１３２の湾曲状態が解除される。湾曲状態が解除されると、延設部１３２の突起部１３２ｂと規制凹部１６２と係合によって球誘導ユニット１３０の後方への移動が規制される。
【００８７】
また、球誘導ユニット１３０を供給通路ユニット１１０に装着した状態では、球誘導ユニット１３０の左側方に延設部１３２が配置されており、球誘導ユニット１３０の左側面１３０ｂ側から延設部１３２を上方に曲げることができるように構成されている。したがって、球誘導ユニット１３０を供給通路ユニット１１０から取り外す際には、球誘導ユニット１３０の延設部１３２を上方に押し上げて、突起部１３２ｂ規制凹部１６２との係合を解除する。この係合を解除することにより、球誘導ユニット１３０の後方への移動規制が解除され、球誘導ユニット１３０を供給通路ユニット１１０から取り外すことが可能となる。
【００８８】
このように構成された第２規制部１６０を備えることにより、球誘導ユニット１３０が供給通路ユニット１１０に装着された状態において、球誘導ユニット１３０の底面１３０ｄを保持して球誘導ユニット１３０の安定性を高めることができるとともに、球誘導ユニット１３０の前後方向と左右方向への位置ずれを低減することができる。
【００８９】
次いで、賞球払出ユニット１００の内部構造ついて詳細に説明する。賞球払出ユニット１００を構成する供給通路ユニット１１０は、供給通路ユニット１１０の右側を構成する右供給構成部１１２と、供給通路ユニット１１０の左側を構成する左供給構成部１１３と、右供給構成部１１２と左供給構成部１１３とに内包され、遊技球２３の球通路を構成する中央供給構成部１１４と、を有する。また、球誘導ユニット１３０は、球誘導ユニット１３０の右側を構成する右誘導構成部１３６と、左側を構成する左誘導構成部１３７と、右誘導構成部１３６と左誘導構成部１３７とに内包され、遊技球２３の球通路を構成する中央誘導構成部１３８と、を有する。
【００９０】
図１１は、右供給構成部１１２を外した状態の賞球払出ユニット１００の右側面図であり、図１２は、左供給構成部１１３を外した状態の賞球払出ユニット１００の左側面図である。また、図１３は、右供給構成部１１２、左供給構成部１１３、中央供給構成部１１４、右誘導構成部１３６、左誘導構成部１３７、及び中央誘導構成部１３８を分解した状態の賞球払出ユニット１００を左後方から視認した斜視図であり、図１４は、図１３に示す賞球払出ユニット１００を右前方から視認した斜視図である。なお、図１１から図１４においては、説明の便宜上供給通路ユニット１１０と球誘導ユニット１３０とを上下方向に分離して示している。
【００９１】
供給通路ユニット１１０は、球貯留ユニット４０の球レール４０ｂから供給された遊技球２３を球誘導ユニット１３０に向けて導く。供給通路ユニット１１０の上面１１０ｃには、球貯留ユニット４０を通過した遊技球２３が流入する流入口１１１が設けられている（例えば、図５参照）。供給通路ユニット１１０内には、流入口１１１から流入した遊技球２３が通過する右供給通路１１５及び左供給通路１１６が左右に隣接して配置されている。中央供給構成部１１４は、右供給通路１１５と左供給通路１１６との間に配置される仕切り部１１４ａと、仕切り部１１４ａの右側面及び左側面から突設した突起壁部と、を有する。
【００９２】
突起壁部は、仕切り部１１４ａから右方（右供給構成部１１２側）に向かって突出した右突起壁部１１４ｂと、仕切り部１１４ａから左方（左供給構成部１１３側）に向かって突出した左突起壁部１１４ｃと、を有する。右突起壁部１１４ｂの右端部１１４ｄは、右供給構成部１１２の内壁面１１２ａと当接しており、右突起壁部１１４ｂと右供給構成部１１２とによって囲まれた空間が右供給通路１１５となる。また、左突起壁部１１４ｃの左端部１１４ｅは、左供給構成部１１３の内壁面１１３ａと当接しており、左突起壁部１１４ｃと左供給構成部１１３とによって囲まれた空間が左供給通路１１６となる。
【００９３】
右供給通路１１５と左供給通路１１６は、仕切り部１１４ａを挟んで左右方向に隣接している。各通路を通過した遊技球２３は、各々球誘導ユニット１３０の誘導通路に流入する。右供給通路１１５及び左供給通路１１６は、複数の屈曲部を有する曲線形状であり、限られた供給通路ユニット１１０内の収容球数が多くなるように構成されている。
【００９４】
また、右供給通路１１５及び左供給通路１１６の前方には、供給通路ユニット１１０内
の遊技球２３をパチンコ機２外部に排出するための排出通路１１７が設けられている。各供給通路と排出通路１１７との間には、右供給通路１１５及び左供給通路１１６の一部を構成し、右供給通路１１５及び左供給通路１１６の他部に対して離間するように揺動可能な揺動部材１１８が設けられている。
【００９５】
揺動部材１１８は、供給通路ユニット１１０の右側面１１０ａに装着されたレバー部材１１９によって、右供給通路１１５及び左供給通路１１６の一部を構成する位置となるように押圧されている。揺動部材１１８は、回転軸１１８ａを中心に回転方向に移動自在である。レバー部材１１９を操作すると、レバー部材１１９による揺動部材１１８の押圧が解除され、遊技球２３の自重によって揺動部材１１８が右供給通路１１５及び左供給通路１１６から離間する方向（図１１に示すＹ方向）に移動し、揺動部材１１８よりも上流に位置する遊技球２３が排出通路１１７に流入する。
【００９６】
また、右供給通路１１５及び左供給通路１１６を通過した遊技球２３は、球誘導ユニッ
ト１３０の誘導通路に流入する。球誘導ユニット１３０の上面１３０ｃには、右供給通路１１５及び左供給通路１１６を通過した遊技球２３が流入する流入口１３５が設けられている（例えば、図６参照）。球誘導ユニット１３０内には、左右に隣接して右誘導通路１３９及び左誘導通路１４０が配置されている。中央誘導構成部１３８は、２列の誘導通路を分離する仕切り部１３８ａと、右誘導通路１３９及び左誘導通路１４０の壁面を構成する突起壁部と、を有する。
【００９７】
突起壁部は、仕切り部１３８ａから右方（右誘導構成部１３６側）に向かって突出した右突起壁部１３８ｂと、仕切り部１３８ａから左方（左誘導構成部１３７側）に向かって突出した左突起壁部１３８ｃと、を有する。右突起壁部１３８ｂの右端部１３８ｄは、右誘導構成部１３６の内壁面１３６ａと当接しており、右突起壁部１３８ｂと右誘導構成部１３６とによって囲まれた空間が右誘導通路１３９となる。また、左突起壁部１３８ｃの左端部１３８ｅは、左誘導構成部１３７の内壁面１３７ａと当接しており、左突起壁部１３８ｃと左誘導構成部１３７とによって囲まれた空間が左誘導通路１４０となる。
【００９８】
右誘導通路１３９と左誘導通路１４０は、仕切り部１３８ａを挟んで左右方向に隣接しており、各誘導通路を通過した遊技球２３は、回転体１４１に導かれる。回転体１４１は、外周に遊技球２３を１球ずつ保持可能な保持部１４１ｂが形成された回転盤１４１ａと、回転盤１４１ａに隣接し、遊技球２３の通過面を構成するガイド部１４１ｃと、回転盤１４１ａを回転駆動する駆動手段としてのモータ１４１ｄと、を有する（例えば、図１３及び図１５参照）。
【００９９】
図１５は、ガイド部１４１ｃを外した状態の球誘導ユニット１３０の回転体１４１を拡大した斜視図である。回転盤１４１ａは、左右方向に隣接して２枚配置されており、モータ１４１ｄによって回転軸を中心に同期して回転される。各回転盤１４１ａには、３つの保持部１４１ｂが形成されており、１２０度回転する毎に各誘導通路の遊技球２３を保持するように構成されている。また、２枚の回転盤１４１ａの保持部１４１ｂは、略３０度ずつずれ形成されており、回転体が３０度回転する毎に、右誘導通路１３９を通過した遊技球２３と左誘導通路１４０を通過した遊技球２３とを交互に保持するように構成されている。
【０１００】
また、保持部１４１ｂに保持された遊技球２３は、回転盤１４１ａの回転に伴って図示するＺ方向に移動し、球誘導ユニット１３０の流出口１４２に向けて流下する。また、流出口１４２の上流側には、遊技球２３の通過を検出するカウントセンサ１４３が設けられている。カウントセンサ１４３は、賞球払出ユニット１００によって払い出す遊技球数をカウントする。
【０１０１】
また、球誘導ユニット１３０の左側面１３０ｂ（左誘導構成部の外壁面）の回転盤１４１ａと対向する位置には、球誘導ユニット１３０内部の空気を球誘導ユニット１３０外部に流出するための通気穴部１４４が設けられている。遊技球２３の払出しは、モータ１４１ｄによる回転盤１４１ａの回転駆動によって実現している。そのため、連続して払出しが行われるとモータ１４１ｄが発熱し、この熱によって球誘導ユニット１３０内部の温度が上昇してしまうおそれがある。
【０１０２】
しかし、本実施の形態１に係る賞球払出ユニットによれば、通気穴部１４４を介して球誘導ユニット１３０内部の空気を換気することができる。この換気は、回転盤１４１ａの回転による空気の流れによって、通気穴部１４４を介して行われる。このように、回転盤１４１ａの回転に伴って換気を行うことにより、換気のための部材や駆動手段を別途設けることなく、球誘導ユニット１３０内部の空気の入替えを実現し、温度上昇による不具合の発生を防止することができる。
【０１０３】
次いで、このように構成された賞球払出ユニット１００における球誘導ユニット１３０の着脱操作について説明する。まず、球誘導ユニット１３０が供給通路ユニット１１０に装着された状態から球誘導ユニット１３０を取り外す操作について説明する。図４及び図８は、球誘導ユニット１３０が供給通路ユニット１１０の装着された状態を示しており、図７は、球誘導ユニット１３０が供給通路ユニット１１０から取り外された状態を示している。
【０１０４】
球誘導ユニット１３０が供給通路ユニット１１０に装着された状態では、第１規制部１５０及び第２規制部１６０が球誘導ユニット１３０の脱落を防止している。よって、第１規制部１５０の爪部１５２を右方に移動して爪部１５２と球誘導ユニット１３０の後面１３０ｆとの係合を解除するとともに、第２規制部１６０の延設部１３２を上方に押し上げ、延設部１３２と規制凹部１６２との係合を解除する。第１規制部１５０及び第２規制部１６０による球誘導ユニット１３０の移動規制を解除した状態で球誘導ユニット１３０を後方に移動することにより、球誘導ユニット１３０を供給通路ユニット１１０から取り外すことができる。
【０１０５】
一方、球誘導ユニット１３０を供給通路ユニット１１０に装着する際には、球誘導ユニット１３０の左側面１３０ｂをガイドリブ１７０の右側面１７０ａに当接させるとともに、球誘導ユニット１３０の底面１３０ｄを賞球供給通路４１の上面４１ｃに当接させて、ガイドリブ１７０に沿わせつつ球誘導ユニット１３０を前方に移動する。このとき、第１規制部１５０は、球誘導ユニット１３０の右側面１３０ａと接触して右方に湾曲した状態となり、かつ球誘導ユニット１３０の延設部１３２は、賞球供給通路４１の上面４１ｃと接触して上方に湾曲した状態となる。
【０１０６】
そして、球誘導ユニット１３０の前面１３０ｅが前枠９の後面９ｆに接する位置まで球誘導ユニット１３０を移動すると、第１規制部１５０の湾曲状態及び延設部１３２の湾曲状態が解除され、第１規制部１５０の爪部１５２が球誘導ユニット１３０の後面１３０ｆと係合するとともに、第２規制部１６０の規制凹部１６２内に延設部１３２の突起部１３２ｂが挿入する。よって、球誘導ユニット１３０の前後方向、左右方向、及び下方向への移動が規制され、球誘導ユニット１３０が供給通路ユニット１１０に装着された状態となる。更に、球誘導ユニット１３０の上方には、供給通路ユニット１１０が配置されており、上方への移動も規制することができる。
【０１０７】
このように本実施の形態１に係る賞球払出ユニット１００によれば、球誘導ユニット１３０を供給通路ユニット１１０に装着する際に、ガイドリブ１７０を用いて位置決めを容易に行うことが可能となる。更に、球誘導ユニット１３０を供給通路ユニット１１０に装着した際に、第１規制部１５０及び第２規制部１６０を用いて前後左右方向の位置整合を確実に行うことができ、各ユニット間の球通路の位置ずれを低減することができる。更に、球誘導ユニット１３０に通気穴部１４４を設けているため、球誘導ユニット１３０内部に滞留する熱を外部へ放熱することが可能となる。
【０１０８】
以上、本発明の好ましい実施の形態を説明したが、本発明はこれらに限定されるものではなく、その要旨の範囲内で様々な変形や変更が可能である。例えば、実施の形態１では、球誘導ユニット１３０の左側面１３０ｂ側にガイドリブ１７０を１箇所設けているが、供給通路ユニットと当接する球誘導ユニットの上面にガイドリブを設けてもよいし、複数箇所にガイドリブを設けてもよい。
【０１０９】
＜実施の形態２＞
次いで、図１６から図２２に基づいて実施の形態２に係る賞球払出ユニット２００について詳細に説明する。なお、実施の形態１の賞球払出ユニット１００と同様の構成については、同符号を用いて説明を省略する。
【０１１０】
実施の形態２に係る賞球払出ユニット２００は、実施の形態１に係る賞球払出ユニット１００と同様に球誘導ユニット１３０が供給通路ユニット１１０に対して着脱自在に構成されている。しかし、実施の形態２に係る賞球払出ユニット２００は、実施の形態１に係る賞球払出ユニット１００と異なり、球誘導ユニットの上流側と下流側に供給通路ユニットが設けられており、かつガイドリブが球誘導ユニットの上面に２箇所設けられている。
【０１１１】
図１６及び図１７は、実施の形態２に係る賞球払出ユニット２００部分を拡大したパチンコ機２の背面図である。賞球払出ユニット２００は、透明な材質によって構成されており、内部を視認することができる。図１６は、賞球払出ユニットの内部を視認できる状態として示した図であり、図１７は、賞球払出ユニットの内部を視認できない状態として示した図である。
【０１１２】
賞球払出ユニット２００は、遊技盤６を内包する前枠９に装着され、球貯留ユニット４０からの遊技球２３が流入する第１供給通路２１３を有する第１供給通路ユニット２１０と、供給通路を通過した遊技球２３が流入し、遊技球２３を１球ずつ送り出す回転体を有する球誘導ユニット２３０と、球誘導ユニット２３０を通過した遊技球２３を賞球供給通路４１に導く第２供給通路ユニット２８０と、を有する。球誘導ユニット２３０は、第１供給通路ユニット２１０及び第２供給通路ユニット２８０に対して着脱自在に構成されている。
【０１１３】
球誘導ユニットの上面には、ガイドリブ２７０が上方に突出形成されている。賞球払出ユニット２００は、球誘導ユニット２３０の装着時において、球誘導ユニット２３０のガイドリブ２７０が挿入されることにより、球誘導ユニット２３０の左右方向の移動を規制する溝部２１２を備えている。
【０１１４】
また、第１供給通路ユニット２１０及び第２供給通路ユニット２８０に球誘導ユニット２３０を装着した状態において、球誘導ユニット２３０の後面２３０ｆを保持し、球誘導ユニット２３０の左右方向への移動及び後方への移動を規制する第１規制部２５０と、球誘導ユニット２３０の底面２３０ｄを保持し、球誘導ユニット２３０の後方への移動を規制する第２規制部２６０と、を備える。なお、第１規制部２５０は、実施の形態１に係る賞球払出ユニット１００の第１規制部１５０と同様の構成であるため、説明を省略する。
【０１１５】
図１８及び図１９は、第１供給通路ユニット２１０、球誘導ユニット２３０、及び第２供給通路ユニット２８０を分解した斜視図である。図１８は、左上方から視認した状態であり、図１９は、右下方から視認した状態である。
【０１１６】
第１供給通路ユニット２１０の上面２１０ｃには、球貯留ユニット４０からの遊技球２３が流入する流入口２１１が設けられている。流入口２１１から流入した遊技球２３は、第１供給通路２１３を通過して第１供給通路ユニット２１０の底面２１０ｄに設けられた流出口２１４から流出し、後述する球誘導ユニット２３０の流入口２３１に流入する。
【０１１７】
また、第１供給通路ユニット２１０の底面２１０ｄには、前後方向に貫通して形成された溝部２１２が形成されている。溝部２１２は、左右に離間して２箇所設けられている。球誘導ユニット２３０の上面２３０ｃに形成された流入口２３１の左方及び右方には、ガイドリブ２７０が上方に向かって突設されている。ガイドリブ２７０は、第１供給通路ユニット２１０の溝部２１２内に挿入可能な形状である。
【０１１８】
球誘導ユニット２３０を第１供給通路ユニット２１０に装着する際には、球誘導ユニット２３０のガイドリブ２７０を第１供給通路ユニット２１０の溝部２１２に挿入しつつ、球誘導ユニット２３０を前方に向けて移動する。このように球誘導ユニット２３０を装着することにより、球誘導ユニット２３０の左右方向における位置決めを容易に行うことができるとともに、左右方向における位置ずれを防止しつつ球誘導ユニット２３０を装着することができる。
【０１１９】
なお、実施の形態２に係るガイドリブ２７０は、球誘導ユニット２３０の上面に設けられており、第１供給通路ユニット２１０の溝部２１２に挿入するように構成されているが、この構成に限られず、例えば第１供給通路ユニット２１０にガイドリブ２７０を設けて、球誘導ユニット２３０にガイドリブ２７０を収容可能な溝部を設けてもよい。更に、ガイドリブ２７０は、左右に離間して２箇所設けることにより、球誘導ユニット２３０を装着する際の位置ずれを効果的に防止することができるが、１箇所にガイドリブ２７０を設けることによっても、位置ずれの防止や位置決めの簡略化を図ることが可能である。
【０１２０】
球誘導ユニット２３０の流入口２３１に流入した遊技球２３は、球誘導ユニット２３０内の誘導通路２３６に導かれる。球誘導ユニット２３０内には、遊技球２３を１球ずつ送り出すための回転体２３８が設けられている。回転体２３８を通過した遊技球２３は、１球ずつ球誘導ユニット２３０の底面２３０ｄに設けられた流出口２３５から排出される。
【０１２１】
第２供給通路ユニット２８０の上面２８０ｃには、球誘導ユニット２３０から排出された遊技球２３が流入する流入口２８１と、第２規制部２６０としての規制凹部２６２と、が設けられている。また、第２供給通路ユニット２８０の上面２８０ｃは、球誘導ユニット２３０の底面２３０ｄを保持しており、第２規制部２６０として機能している。規制凹部２６２は、球誘導ユニット２３０の底面２３０ｄから突出した規制リブとしての操作片２３２と係合することにより、球誘導ユニット２３０の後方への移動を規制する。図２０は、第２規制部２６０としての規制凹部２６２と操作片２３２の係合状態を模式的に示した断面図である。
【０１２２】
規制凹部２６２の後方には、第２供給通路ユニット２８０の後面２８０ｆに向けて開口し、後方から操作片２３２を操作するための後方開口部２８３が形成されている。また、球誘導ユニット２３０の底面２３０ｄには、後面２３０ｆ側に開口した２本のスリット２４０が形成されており、このスリット２４０間に操作片２３２が設けられている。また、球誘導ユニット２３０の後面２３０ｆには、操作片２３２の上方に開口形成された操作穴部２３４が形成されており、操作片２３２は操作穴部２３４内において上下に移動可能である。
【０１２３】
操作片２３２には、球誘導ユニット２３０の底面２３０ｄより下方に突出した突起部２３２ｂが形成されている。突起部２３２ｂは、前後方向に傾斜した傾斜面２３２ｃを有し、後方に向かって傾斜面２３２ｃの高さ（下方への突出高さ）が高くなっている。操作片２３２は、前側に位置する基端部２３２ａを中心に上方に湾曲可能に構成されている。操作片２３２が上方に湾曲した状態においては、突起部２３２ｂの傾斜面２３２ｃの頂点（突起部の最下点）２３２ｄは、球誘導ユニット２３０の底面２３０ｄより上方に位置し、第２供給通路ユニット２８０の上面２８０ｃと干渉しない。
【０１２４】
球誘導ユニット２３０を第２供給通路ユニット２８０に装着する際には、球誘導ユニット２３０の底面２３０ｄを第２供給通路ユニット２８０の上面２８０ｃと当接するように配置して、球誘導ユニット２３０を前方に向けて移動する。このとき、球誘導ユニット２３０の突起部２３２ｂの傾斜面２３２ｃが第２供給通路ユニット２８０の上面２８０ｃと接触して、操作片２３２が上方に湾曲する。この操作片２３２が上方に湾曲した状態で球誘導ユニット２３０を前方に移動し続けると、操作片２３２の頂点２３２ｄが規制凹部２６２内に落入し、操作片２３２の湾曲状態が解除される（図２０参照）。湾曲状態が解除されると、操作片２３２の突起部２３２ｂと規制凹部２６２との係合によって球誘導ユニット２３０の後方への移動が規制される。
【０１２５】
また、球誘導ユニット２３０を第１供給通路ユニット２１０及び第２供給通路ユニット２８０から取り外す際には、球誘導ユニット２３０の後方から操作片２３２を上方に押し上げて、突起部２３２ｂと規制凹部２６２との係合を解除する。球誘導ユニット２３０の後方への移動規制が解除され、球誘導ユニット２３０を第１供給通路ユニット２１０及び第２供給通路ユニット２８０から取り外すことが可能となる。
【０１２６】
このように第２規制部２６０を備えることにより、球誘導ユニット２３０が第１供給通路ユニット２１０及び第２供給通路ユニット２８０に装着された状態において、球誘導ユニット２３０の底面２３０ｄを保持して球誘導ユニット２３０の安定性を高めることができるとともに、球誘導ユニット２３０の後方と左右方向への位置ずれを低減することができる。
【０１２７】
また、規制リブとしての操作片２３２とガイドリブ２７０とは、球誘導ユニット２３０を挟んで上下方向に沿った略直線上に配置されており、操作片２３２を上方に押し上げることにより第２規制部２６０の規制が解除されるように構成されている。操作片２３２を押し上げる方向にガイドリブ２７０と溝部２１２とが設けられ、左右方向への移動を規制しているため、操作片２３２に対する押圧力が上方に向かって直線状に作用し、操作片２３２への押圧力を効果的に球誘導ユニット２３０に付与することが可能となる。
【０１２８】
また、第１供給通路ユニット２１０には、球誘導ユニット２３０が第１供給通路ユニット２１０から取り外された際に、第１供給通路２１３から遊技球２３がこぼれることを防止する球止め部材が設けられている。図２１は、球止め部材による遊技球２３の通過を阻止した球止め状態と遊技球の通過を許可した状態とを模式的に示した断面図である。
【０１２９】
球止め部材は、第１供給通路２１３の流出口２１４の直上に配置され、第１供給通路２１３の一部を塞ぐ第１位置と、第１供給通路２１３を開放する第２位置と、の間を前後方向にスライド移動するスライド部材２１５と、スライド部材２１５を第１位置に向けて押圧するバネ部材２１６と、を備えている。
【０１３０】
スライド部材２１５は、上下方向に沿って配置された縦部材２１５ａと、縦部材２１５ａの略中心から後方に向けて突設された横部材２１５ｂと、を有している。縦部材２１５ａの前方には、バネ部材２１６が配置されている。球誘導ユニット２３０の上面２３０ｃの前端部には、前方に開口した前方穴部が形成されており、この前方穴部を構成する前壁面２３７は、横部材２１５ｂより下方に位置する縦部材２１５ａと接触する。
【０１３１】
図２１（ａ）は、球誘導ユニット２３０を第１供給通路ユニット２１０に装着した状態を示しており、球誘導ユニット２３０を第１供給通路ユニット２１０から取り外す途中の状態を示している。（ａ）に示すように、第１供給通路ユニット２１０に球誘導ユニット２３０を装着した状態では、スライド部材２１５は、球誘導ユニット２３０の前壁面２３７によって前方に押圧されて第２位置となる。したがって、第１供給通路２１３と誘導通路２３６とが連通し、第１供給通路２１３から誘導通路２３６への遊技球の通過を許可している。
【０１３２】
一方、（ｂ）に示すように、球誘導ユニット２３０を取り外そうとして後方に移動する
と、前壁面２３７が縦部材２１５ａから離間する。この離間に伴ってスライド部材２１５は、バネ部材２１６によって後方に押圧されて第１位置となる。したがって、第１供給通路２１３と誘導通路２３６との連通状態が解除され、第１供給通路２１３から誘導通路２３６への遊技球の通過を阻止している。
【０１３３】
このように球誘導ユニット２３０の着脱状態に応じてスライド部材２１５が第１供給通路２１３の一部を塞ぐ第１位置と、第１供給通路２１３を開放する第２位置と、の間を移動可能に構成されているため、球誘導ユニット２３０を第１供給通路ユニット２１０から取り外した際の球こぼれを防ぐことが可能となる。スライド部材２１５は、球誘導ユニット２３０とバネ部材２１６とによって移動されるため、スライド部材２１５を駆動するための駆動手段を別途設ける必要がなく、部品点数の増加や容積の増大を防ぎつつ、球こぼれによる不具合を防止することができる。
【０１３４】
更に、スライド部材２１５を構成する縦部材２１５ａの一部は、横部材２１５ｂより下方に位置しており、球誘導ユニット２３０を取り外した状態において人が容易にスライド部材２１５を操作できることが可能である。例えば、スライド部材２１５が移動する過程において不具合が発生した場合であっても、スライド部材２１５を操作して容易に不具合を解消することが可能である。
【０１３５】
また、図２２は、球誘導ユニット２３０内の回転体２３８を模式的に示した図である。（ａ）は斜視図であり、（ｂ）は、球誘導ユニット２３０の後面との位置関係を模式的に示した左側面図である。回転体２３８は、回転軸２３８ａを中心にモータ（図示せず）によって回転可能に構成されており、外周に遊技球２３を１球ずつ保持可能な保持部２３８ｂが形成されている。
【０１３６】
また、回転体２３８の回転軸２３８ａの外周には、前後方向（回転軸方向）に貫通した中空穴部２３８ｃが形成されている。中空穴部２３８ｃは、回転軸２３８ａの周囲において、回転軸方向に沿って３つ設けられている。回転体２３８に中空穴部２３８ｃが形成されていることにより、回転体２３８の軽量化を図ることができ、回転体２３８を駆動するモータの負荷を軽減することができる。
【０１３７】
更に、回転体２３８の後方に位置する球誘導ユニット２３０の後面２３０ｆには、４つの通気穴部２３９が形成されている。通気穴部２３９を介して球誘導ユニット２３０内部の空気を外部に排出することにより、球誘導ユニット２３０内部の熱を放熱することができるとともに、球誘導ユニット２３０の換気を行うことができるように構成されている。更に、回転体２３８には中空穴部２３８ｃが形成されているため、回転体２３８の前方側の空気を、中空穴部２３８ｃを介して通気穴部２３９が形成された回転体２３８の後方側に導くことができ、効率よく球誘導ユニット２３０内部の換気を行うことができる。
【０１３８】
回転体２３８は、モータ等の駆動手段によって駆動されており、回転に伴ってモータから熱が発生する。特に、特別遊技状態（大当り状態）等において多量の遊技球２３を供給する場合には、回転体２３８が連続して回転し、それに伴いモータの発熱量が増加する。この熱が球誘導ユニット２３０内部に滞留すると、回転体２３８の駆動異常等の不具合が発生するおそれがある。
【０１３９】
しかし、通気穴部２３９を設け、回転体２３８の回転による空気の流れを用いて、球誘導ユニット２３０内部の空気を球誘導ユニット２３０外部に排出することにより、回転体２３８の回転に伴って球誘導ユニット２３０内の空気を外部に放出することができ、モータの熱による不具合の発生を抑制することが可能となる。
【０１４０】
このように、本実施の形態２に係る賞球払出ユニット２００によっても、第１供給通路ユニット２１０及び第２供給通路ユニット２８０に球誘導ユニット２３０を装着する際に、位置決めを容易に行うことが可能となる。更に、第１供給通路ユニット２１０及び第２供給通路ユニット２８０に球誘導ユニット２３０を装着した状態において、前後左右方向の位置整合を確実に行うことができ、各ユニット間の球通路の位置ずれを低減することができる。
【０１４１】
＜実施の形態３＞
次いで、図２３から図３５に基づいて実施の形態３に係る賞球払出ユニット５００について詳細に説明する。なお、実施の形態１と同様の構成については、同符号を用いて説明を省略する。実施の形態３に係る賞球払出ユニット５００は、実施の形態１及び実施の形態２に係る賞球払出ユニット１００及び２００と異なり、球誘導ユニットが供給通路ユニットに対して着脱自在に構成されておらず、遊技機枠３の後方に設けられたベース部材５０１に対して賞球払出ユニット５００が着脱自在に装着されている。
【０１４２】
図２３は、実施の形態３に係る賞球払出ユニット５００を有するパチンコ機２の背面図である。実施の形態３に係るパチンコ機２は、遊技盤６が装着される遊技機枠３の後方にベース部材５０１が装着されており、このベース部材５０１に対して賞球払出ユニット５００が装着されるように構成されている。
【０１４３】
図２４は、遊技機枠３から取り外された賞球払出ユニット５００及びベース部材５０１の背面図である。ベース部材５０１は、遊技機枠３としての前枠９及びガラス枠１２の後面に装着されている。ベース部材５０１の後面には、賞球払出ユニット５００と、賞球払出ユニット５００に向けて供給する遊技球２３を整流する球レール４０ｂと、賞球払出ユニット５００を通過した遊技球２３が流入する賞球供給通路４１の一部と、パチンコ機２の遊技状態等の遊技情報を外部に出力するための外部出力端子板３９と、が装着されている。
【０１４４】
また、図２５及び図２６は、遊技機枠３に装着された状態のベース部材５０１及び賞球払出ユニット５００の部分拡大斜視図である。図２５は、右上方から視認した状態であり、図２６は、左上方から視認した状態である。賞球払出ユニット５００は、球貯留ユニット４０の球レール４０ｂによって整流された遊技球２３が流入する供給通路ユニット５１０と、供給通路ユニット５１０を通過した遊技球２３が流入し、遊技球２３を１球ずつ送り出す回転体３０１（図２７参照）を有する球誘導ユニット５３０と、を有している。
【０１４５】
供給通路ユニット５１０及び球誘導ユニット５３０は、ベース部材５０１に対して装着されており、球誘導ユニット５３０はベース部材５０１に対して着脱可能に構成されている。球誘導ユニット５３０は、ベース部材５０１に装着されることにより、供給通路ユニット５１０の下方に配置されるように構成されている。
【０１４６】
ベース部材５０１は、賞球払出ユニット５００の前面、右側面、及び左側面と接するように配置されており、賞球払出ユニット５００の右側面と後面と接する第１規制部５５０を備えている。第１規制部５５０は、ベース部材５０１から後方に向かって突設されており、球誘導ユニット５３０の右側面５３０ａと係合する（例えば、図２５参照。）。第１規制部５５０は、球誘導ユニット５３０の右側面５３０ａに沿って設けられた板状の側面部５５１と、側面部５５１の後端に設けられた爪部５５２と、を有する。側面部５５１は、球誘導ユニット５３０の右側面５３０ａと当接し、球誘導ユニット５３０の右方向への移動を規制している。
【０１４７】
爪部５５２は、球誘導ユニット５３０がベース部材５０１に装着された状態において、球誘導ユニット５３０の後面５３０ｆと当接し、球誘導ユニット５３０の後方への移動を規制する。側面部５５１は、外力が加えられることにより、側面部５５１の前端部５５１ｅ（側面部５５１の根元部）を中心に図示するＷ方向に湾曲するように構成されている。側面部５５１が湾曲した湾曲状態としたり、この湾曲状態を解除したりすることにより、球誘導ユニット５３０の後方への移動規制を解除したり、後方への移動を規制したりすることができる。
【０１４８】
供給通路ユニット５１０の底面（下面）５１０ｄには、前後方向に貫通して形成された溝部５１２が形成されている。球誘導ユニット５３０の上面には、ガイドリブ５７０が上方に向かって突設されている。ガイドリブ５７０は、供給通路ユニット５１０の溝部５１２内に挿入可能な形状である。
【０１４９】
球誘導ユニット５３０をベース部材５０１に装着する際には、球誘導ユニット５３０のガイドリブ５７０を供給通路ユニット５１０の溝部５１２に挿入しつつ、球誘導ユニット５３０を前方に向けて移動する。このように球誘導ユニット５３０を装着することにより、球誘導ユニット５３０の左右方向における位置決めを容易に行うことができるとともに、左右方向における位置ずれを防止しつつ球誘導ユニット５３０を装着することができる。
【０１５０】
球誘導ユニット５３０の下方の賞球供給通路４１には、第２規制部としての保持面及び規制凹部（図示せず）が設けられている。また、球誘導ユニット５３０の下面には、規制リブが設けられている。実施の形態２に係る第２規制部は、第２供給通路ユニットに設けられており、実施の形態３に係る第２規制部は、賞球供給通路４１に設けられている。実施の形態２に係る第２規制部及び規制リブと、実施の形態３に係る第２規制部及び規制リブと、は、第２規制部が設けられている箇所が異なるが、それ以外の構成は同様であるため、図示を省略する（図２０等を参照。）。
【０１５１】
規制凹部は、球誘導ユニット５３０の底面（下面）から突出した規制リブと係合することにより、球誘導ユニット２３０の後方への移動を規制する。規制リブは、球誘導ユニットの下面から下方に突出しており、後方から操作可能な操作片５３１と接続されており、操作片５３１を上方に移動することにより、操作片５３１と共に上方に移動する。
【０１５２】
球誘導ユニット５３０をベース部材５０１に装着する際には、球誘導ユニット５３０の底面を賞球供給通路４１と当接するように配置して、球誘導ユニット５３０を前方に向けて移動する。このとき、球誘導ユニット５３０の規制リブの傾斜面が賞球供給通路４１の上面と接触して、規制リブ及び操作片５３１が上方に湾曲する。この規制リブ及び操作片５３１が上方に湾曲した状態で球誘導ユニット５３０を前方に移動し続けると、規制リブが規制凹部内に落入し、規制リブの湾曲状態が解除される。湾曲状態が解除されると、規制リブと規制凹部との係合によって球誘導ユニット５３０の後方への移動が規制される。
【０１５３】
また、球誘導ユニット５３０をベース部材５０１から取り外す際には、球誘導ユニット５３０の後方から操作片５３１を上方に押し上げて、規制リブと規制凹部との係合を解除する。球誘導ユニット５３０の後方への移動規制が解除され、球誘導ユニット５３０をベース部材５０１から取り外すことが可能となる。
【０１５４】
このように第２規制部を備えることにより、球誘導ユニット５３０がベース部材５０１に装着された状態において、球誘導ユニット５３０の底面を保持して球誘導ユニット５３０の安定性を高めることができるとともに、球誘導ユニット５３０の後方と左右方向への位置ずれを低減することができる。
【０１５５】
また、ガイドリブ５７０と規制リブ（例えば、操作片５３１。）は、球誘導ユニット５３０を挟んで上下方向に沿った略直線上（実質的に直線上）に配置されており、操作片５３１を上方に押し上げることにより第２規制部の規制が解除されるように構成されている。操作片５３１を押し上げる方向にガイドリブ５７０と溝部５１２とが設けられ、左右方向への移動を規制しているため、操作片５３１に対する押圧力が上方に向かって直線状に作用し、操作片５３１への押圧力を効果的に球誘導ユニット５３０に付与することが可能となる。
【０１５６】
更に、実施の形態３に係る球誘導ユニット５３０は、隣接して配置された第１誘導通路３０２及び第２誘導通路３０３を備えており、各誘導通路を通過した遊技球２３を交互に送り出すように構成されている。次いで、図２７〜図３３に基づいて球誘導ユニット５３０について詳細に説明する。図２７は、図２４に示すＢ−Ｂ断面図であり、図２８は、回転体を模式的に示した斜視図である。図２９は、回転体と球誘導通路を模式的に示した図である。
【０１５７】
回転体３０１は、上方に配置された第１誘導通路３０２及び第２誘導通路３０３からの遊技球２３を１球ずつ賞球供給通路４１に向けて送り出す。回転体３０１は、回転軸３０１ａを中心に図示しないモータによって回転駆動される。回転体３０１の外周には、遊技球２３を１球ずつ保持する複数の保持部３０１ｂと、複数の保持部３０１ｂの間において回転体３０１の回転軸３０１ａから外周に向かう方向（図２７に示すＳ方向。）に突出した突部と、保持部３０１ｂから突出した保持リブと、が設けられている。また、第１誘導通路３０２と第２誘導通路３０３との間には、通路仕切り部３０６が設けられている。
【０１５８】
突部は、第１誘導通路３０２の下方に配置された第１突部３０１ｅと、第２誘導通路３０３の下方に配置された第２突部３０１ｆと、を備えている。第１突部３０１ｅと第２突部３０１ｆとは、回転体３０１の回転方向（図２７に示すＲ方向。）において交互に配置されている。保持部３０１ｂと保持部３０１ｂとの間には、第１突部３０１ｅ又は第２突部３０１ｆが設けられている。
【０１５９】
第１突部３０１ｅ又は第２突部３０１ｆの回転軸方向において隣接した部分には、保持部３０１ｂと保持部３０１ｂとの間に形成された保持間部３０１ｈが設けられている。保持間部３０１ｈは、回転軸３０１ａから外周に向かう方向（図示するＳ方向）において第１突部３０１ｅ及び第２突部３０１ｆよりも低く形成されている。したがって、第１突部３０１ｅと保持間部３０１ｈとの間及び第２突部３０１ｆと保持間部３０１ｈとの間には、段差部３０１ｇが形成されている。段差部３０１ｇは、第１誘導通路３０２と第２誘導通路３０３との間にある通路仕切り部３０６の下方に位置している。
【０１６０】
保持リブは、第１誘導通路３０２の下方に配置された第１保持リブ３０１ｃと、第２誘導通路３０３の下方に配置された第２保持リブ３０１ｄと、を備えている。第１誘導通路３０２の下方（保持部３０１ｂの左部）には、第１突部３０１ｅと第１保持リブ３０１ｃとが回転体３０１の回転方向において連なって配置されている。また、第２誘導通路３０３の下方（保持部３０１ｂの右部）には、第２突部３０１ｆと第２保持リブ３０１ｄとが回転体３０１の回転方向において連なって配置されている。
【０１６１】
また、第１保持リブ３０１ｃは、第１誘導通路３０２と対向した位置において、第１誘導通路３０２内の遊技球２３が保持部３０１ｂに向かって通過するのを阻止するように、第１誘導通路３０２を構成する壁面との距離Ｌが遊技球２３の直径（例えば、１１ｍｍ。）より小さくなるように形成されている。
【０１６２】
第２保持リブ３０１ｄは、第２誘導通路３０３と対向した位置において、第２誘導通路３０３内の遊技球２３が保持部３０１ｂに向かって通過できないように、第２誘導通路３０３を構成する壁面との距離が遊技球２３の直径より小さくなるように構成されている（図２９参照）。
【０１６３】
回転体３０１が回転することにより、第１突部３０１ｅと第１誘導通路３０２とが対向した第１状態と、第１保持リブ３０１ｃと第１誘導通路３０２とが対向した第２状態と、第２突部３０１ｆと第２誘導通路３０３とが対向した第３状態と、第２保持リブ３０１ｄと第２誘導通路３０３とが対向した第４状態と、を順次実現するように構成されている。
【０１６４】
図３０及び図３１は、回転体３０１の回転態様を模式的に示した図であり、（ａ）は第１状態、（ｂ）は第２状態、（ｃ）は第３状態、（ｄ）は第４状態を示している。図３０は、回転体３０１の右側面図であり、図３１は、図３０に示すＣ−Ｃ断面図である。なお、図３１においては、説明の便宜上、第１誘導通路３０２、第２誘導通路３０３、及び遊技球２３を模式的に示している。
【０１６５】
（ａ）は、第１突部３０１ｅと第１誘導通路３０２とが対向した第１状態であり、第１誘導通路３０２の下方に第１突部３０１ｅが配置されている。この第１状態において、第２誘導通路３０３の下方には、第２突部３０１ｆが配置されておらず、保持間部３０１ｈが配置されている。第１突部３０１ｅは、保持間部３０１ｈよりも上方に突出している。したがって、第１誘導通路３０２を通過した遊技球２３は、第１突部３０１ｅ上に載置されて第２誘導通路３０３を通過した遊技球（保持間部３０１ｈ上の遊技球）２３よりも上方に位置している。この状態においては、第２誘導通路３０３を通過した遊技球２３は、第１誘導通路３０２を通過した遊技球２３よりも下方に位置しているが、保持部３０１ｂには流入しない。
【０１６６】
（ａ）に示す状態から回転体３０１が図示するＲ方向に回転すると、（ｂ）に示す第２状態となる。（ａ）から（ｂ）の状態となる過程においては、第１突部３０１ｅ上の遊技球２３は、第１突部３０１ｅ上から第１保持リブ３０１ｃ上に移動する。第２状態では、第１保持リブ３０１ｃと第１誘導通路３０２とが対向しており、第１誘導通路３０２の下方には第１保持リブ３０１ｃが配置されている。この第２状態において、第２誘導通路３０３の下方には、第２保持リブ３０１ｄが配置されておらず、保持部３０１ｂが配置されている。したがって、第１誘導通路３０２を通過した遊技球２３は、第１保持リブ３０１ｃによって保持部３０１ｂへの流入が阻止され、保持部３０１ｂへ流入しないが、第２誘導通路３０３を通過した遊技球２３は、保持部３０１ｂへ流入する。
【０１６７】
（ｂ）に示す状態から回転体３０１が図示するＲ方向に回転すると、（ｃ）に示す第３
状態となる。（ｂ）から（ｃ）の状態となる過程においては、第１保持リブ３０１ｃ上の遊技球２３は、第１保持リブ３０１ｃ上から保持間部３０１ｈ上に移動する。また、第２誘導通路３０３から保持部３０１ｂに流入した遊技球２３は、保持部３０１ｂに保持された状態で回転体３０１と共に回転方向に移動する。
【０１６８】
第３状態では、第２突部３０１ｆと第２誘導通路３０３とが対向しており、第２誘導通路３０３の下方に第２突部３０１ｆが配置されている。また、この第３状態において、第１誘導通路３０２の下方には、第１突部３０１ｅが配置されておらず、保持間部３０１ｈが配置されている。第２突部３０１ｆは、保持間部３０１ｈよりも突出している。したがって、第２誘導通路３０３を通過した遊技球２３は、第２突部３０１ｆ上に載置されて第１誘導通路３０２を通過した遊技球（保持間部３０１ｈ上の遊技球）２３よりも上方に位置している。この状態においては、第１誘導通路３０２を通過した遊技球２３は、第２誘導通路３０３を通過した遊技球２３よりも下方に位置しているが、保持部３０１ｂには流入しない。
【０１６９】
（ｃ）に示す状態から回転体３０１が図示するＲ方向に回転すると、（ｄ）に示す第４状態となる。（ｃ）から（ｄ）の状態となる過程においては、第２突部３０１ｆ上の遊技球２３は、第２突部３０１ｆ上から第２保持リブ３０１ｄ上に移動する。第４状態では、第２保持リブ３０１ｄと第２誘導通路３０３とが対向しており、第２誘導通路３０３の下方には第２保持リブ３０１ｄが配置されている。第４状態において、第１誘導通路３０２の下方には、第１保持リブ３０１ｃが配置されておらず、保持部３０１ｂが配置されている。したがって、第２誘導通路３０３を通過した遊技球２３は、第２保持リブ３０１ｄによって保持部３０１ｂへの流入が阻止され、保持部３０１ｂへ流入しないが、第１誘導通路３０２を通過した遊技球２３は、保持部３０１ｂへ流入する。
【０１７０】
（ｄ）に示す状態から回転体３０１が図示するＲ方向に回転すると、（ａ）に示す第１状態となる。（ｄ）から（ａ）の状態となる過程においては、第２保持リブ３０１ｄ上の遊技球２３は、第２保持リブ３０１ｄ上から保持間部３０１ｈ上に移動する。また、第１誘導通路３０２から保持部３０１ｂに流入した遊技球２３は、保持部３０１ｂに保持された状態で回転体３０１と共に回転方向に移動する。
【０１７１】
このように、回転体３０１が回転することによって第１状態から第４状態までを順次実現することにより、第１誘導通路３０２を通過した遊技球２３と第２誘導通路３０３を通過した遊技球２３とを交互に回転体３０１の保持部３０１ｂに導き、２つの誘導通路を通過した遊技球２３を偏りなく交互に送り出すことが可能となる。
【０１７２】
回転体３０１における回転軸３０１ａの周囲には、回転軸方向に沿って形成された中空穴部３０４が形成されている。中空穴部３０４は、実施の形態２の回転体２３８の中空穴部２３８ｃと異なり、回転軸方向に貫通しておらず、回転軸方向に沿って形成されているが、回転体３０１を貫通していないように形成されている。このように、中空穴部３０４を貫通しないように形成することにより、中空穴部３０４による回転体３０１の強度低下を防止することができる。
【０１７３】
更に、複数の保持部３０１ｂの間には第１突部３０１ｅ又は第２突部３０１ｆが設けられており、第１突部３０１ｅと中空穴部３０４、及び第２突部３０１ｆと中空穴部３０４は、実質的に回転体３０１の回転軸３０１ａから外周に向かう方向（図示するＳ方向）に沿った直線上に配置されている。回転体３０１の回転軸３０１ａから外周に向かう方向の厚みは、中空穴部３０４を設けることによって薄くなるため、中空穴部３０４を形成することによって回転体３０１の強度が低下するおそれがある。しかし、突部と中空穴部３０４とを実質的に回転体３０１の回転軸３０１ａから外周に向かう方向に沿った直線上に配置することにより、中空穴部３０４を設けることよって薄くなった厚みを突部によって補強することができ、回転体３０１の強度低下を防止することができる。
【０１７４】
また、中空穴部３０４は、回転軸３０１ａの周囲に回転方向（Ｒ方向）に沿って６個並設されており、中空穴部３０４間には、回転軸３０１ａから外周に向かう方向に沿った仕切り壁３０５が設けられている。中空穴部３０４は、５角形状であり、保持部３０１ｂに沿った辺を有する。６つの中空穴部３０４は同形状であり、回転軸３０１ａを中心に均等に配置されているため、回転負荷のバラつきを抑制することができる。
【０１７５】
また、保持部３０１ｂの略中心部Ｐ１と回転軸３０１ａとの距離Ｑ１は、保持部３０１ｂの端部Ｐ２と回転軸３０１ａとの距離Ｑ２と比較して距離が短く、中心部Ｐ１部分の回転体３０１の厚みは、比較的薄く形成されている（図２８参照）。したがって、保持部３０１ｂの略中心部Ｐ１の強度は、保持部３０１ｂの端部Ｐ２の強度よりも比較的低い。
【０１７６】
更に、保持部３０１ｂの端部Ｐ２の近傍には、第１突部３０１ｅ又は第２突部３０１ｆが設けられており、第１突部３０１ｅ及び第２突部３０１ｆの補強によって比較的高い強度を保つことができる。しかし、回転方向における第１突部３０１ｅと第２突部３０１ｆとの間は、比較的強度が低くなり、特に保持部３０１ｂの中心部Ｐ１は、第１突部３０１ｅと第２突部３０１ｆとの中心であり、第１突部３０１ｅ及び第２突部３０１ｆから距離が離れているため、第１突部３０１ｅ及び第２突部３０１ｆの近傍である保持部３０１ｂの端部Ｐ２の強度よりも低い。
【０１７７】
このように比較的強度が低い保持部３０１ｂの中心部Ｐ１と回転軸３０１ａとを結ぶ直線上に、中空穴部３０４を設けずに仕切り壁３０５を設けることにより、中空穴部３０４による強度低下を効果的に防止することができる。
【０１７８】
また、球誘導ユニット５３０には、回転体３０１の保持部３０１ｂに流入し、回転体３０１の回転に伴って移動する遊技球２３を案内する誘導リブ５３２が設けられている。次いで、誘導リブ５３２について図３２及び図３３に基づいて詳細に説明する。図３２は、誘導リブ５３２及び後述する排出通路（通過通路）５３３の位置関係を模式的に示した図であり、図３３は、図３２に示すＤ−Ｄ断面図である。
【０１７９】
誘導リブ５３２は、左誘導構成部１３７の内壁面１３７ａ（図１４参照）から突出形成された第１誘導リブ５３２ａと、右誘導構成部１３６の内壁面１３６ａ（図１３参照）から突出形成された第２誘導リブ５３２ｂと、を有する。第１誘導リブ５３２ａは、回転体３０１の左部に形成された第１保持リブ３０１ｃに近い側において、第１保持リブ３０１ｃと隣接して配置されている。第２誘導リブ５３２ｂは、回転体３０１の右部に形成された第２保持リブ３０１ｄに近い側において、第２保持リブ３０１ｄと隣接して配置されている。
【０１８０】
第１誘導リブ５３２ａと第２誘導リブ５３２ｂとは、回転体３０１の回転軸方向（本実施の形態においては左右方向。）において対向して配置されており、その間の空間には、遊技球２３が通過可能な排出通路５３３が設けられている。排出通路５３３は、回転体３０１の保持部３０１ｂに保持され、保持部３０１ｂと共に移動する遊技球２３及び保持部３０１ｂから落下し、通過孔部５３４ａに向かって移動する遊技球２３が通過する球通路である。排出通路５３３は、第１誘導リブ５３２ａ、第２誘導リブ５３２ｂ、排出通路５３３の前方に配置された排出通路壁部５３３ａ、及び球誘導ユニット５３０の後面５３０ｆを構成する後壁の内壁面５３０ｇによって挟まれた空間である（図３３参照）。
【０１８１】
排出通路５３３の下方には、遊技球２３の通過を検出する球通過検出部材５３４の通過孔部５３４ａが配置されている。通過孔部５３４ａは、遊技球２３の直径より若干大きい径の孔部であって、遊技球２３を１球ずつ通過させるように構成されている。球通過検出部材５３４は、通過孔部５３４ａを通過した遊技球２３を検出するように構成されている。
【０１８２】
第１誘導リブ５３２ａは、遊技球２３を通過孔部５３４ａの上方に向けて（第２誘導リブ５３２ｂ側に向けて）導く傾斜面５３２ｃと、通過孔部５３４ａの上方に導いた遊技球２３を通過孔部５３４ａに向けて導く鉛直面５３２ｅと、を有している。また、第２誘導リブ５３２ｂは、遊技球２３を通過孔部５３４ａの上方に向けて（第２誘導リブ５３２ｂ側に向けて）導く傾斜面５３２ｄと、通過孔部５３４ａの上方に導いた遊技球２３を通過孔部５３４ａに向けて導く鉛直面５３２ｆと、を有している。
【０１８３】
このように構成された第１誘導リブ５３２ａ及び第２誘導リブ５３２ｂを備えることにより、左右方向に隣接して配置された第１誘導通路３０２及び第２誘導通路３０３から流入した遊技球２３を、第１誘導通路３０２及び第２誘導通路３０３の左右方向における中心に向けて移動させ、左右方向における中心に配置された排出通路５３３に導くことが可能となる。
【０１８４】
第１誘導通路３０２（又は第２誘導通路３０３）から保持部３０１ｂに流入した遊技球２３は、回転体３０１の回転に伴って回転体３０１の回転方向に移動する。回転体３０１は、図２７に示すＲ方向に回転し、遊技球２３は、第１誘導通路３０２（又は第２誘導通路３０３）の下方の位置から回転体３０１の外周に沿って後方に移動する。
【０１８５】
遊技球２３は、外周に沿って後方に移動すると、第１誘導リブ５３２ａ（又は第２誘導リブ５３２ｂ）に接する。第１誘導リブ５３２ａ（又は第２誘導リブ５３２ｂ）に接した遊技球２３は、回転体３０１の回転方向に移動しつつ、傾斜面５３２ｃ（又は５３２ｄ）に沿って排出通路５３３に向かって右方（又は左方）に移動する。遊技球２３は、傾斜面５３２ｃ（又は５３２ｄ）に沿って通過孔部５３４ａの上方に移動する。この状態で回転体３０１が更に回転すると、遊技球２３は、保持部３０１ｂから滑り落ち、通過孔部５３４ａに向かって落下する。
【０１８６】
このように、回転体３０１の回転に伴って移動する過程において第１誘導通路３０２から流入した遊技球２３と第２誘導通路３０３から流入した遊技球２３とを同一の通過孔部５３４ａ上に導くことにより、回転体３０１によって送り出された遊技球２３が通過する排出通路５３３の幅を球１個分通過可能な大きさにすることができる。したがって、複数の遊技球２３が通過可能な幅の排出通路５３３を有する構成と比較して、省スペース化を図ることができる。
【０１８７】
また、回転体３０１の回転に伴って移動する過程で遊技球２３を排出通路５３３に向けて移動させて通過孔部の上方に導くことができるため、回転体３０１によって送り出した後に遊技球２３を通過孔部５３４ａの上方に導く構成と比較して、遊技球２３の処理速度を遅延させることなく、円滑かつ迅速な遊技球２３の処理を実現することができる。
【０１８８】
また、賞球払出ユニット５００は、球誘導ユニット５３０が供給通路ユニット５１０から取り外された際に、供給通路から遊技球２３がこぼれることを防止するための球止め部材を備えている。次いで、図３４及び図３５に基づいて、実施の形態３に係る球止め部材について詳細に説明する。実施の形態３に係る球止め部材は、実施の形態２に係る球止め部材と異なり、スライド部材の前後方向のスライド移動を案内する案内軸部材を備えている。図３４は、球止め部材による遊技球２３の通過を阻止した球止め状態と遊技球の通過を許可した状態とを模式的に示した断面図である。図３５は、供給通路ユニット５１０の底面（下面）５１０ｄを模式的に示した図である。
【０１８９】
球止め部材は、供給通路５１１内に位置して供給通路５１１の一部を塞ぐ第１位置と、供給通路外に位置して供給通路５１１を開放する第２位置と、の間を前後方向にスライド移動するスライド部材５２０と、スライド部材５２０を第１位置に向けて押圧するバネ部材（弾性部材）５２１と、スライド部材５２０の前後方向のスライド移動を案内する案内軸部材５２２と、を有する。
【０１９０】
供給通路５１１を構成する前壁面５１１ｃには、スライド部材５２０の後端部（後述するスライド片の後端部）が挿入するスライド孔部５１１ｄが形成されている。スライド部材５２０は、バネ部材５２１の後方に配置され、バネ部材５２１によって押圧される押圧部材５２０ａと、押圧部材５２０ａからスライド孔部５１１ｄに向かって突出形成されたスライド片５２０ｂと、押圧部材５２０ａから下方に突出形成され、供給通路ユニット５１０の底面５１０ｄよりも下方に突出した突出部材５２０ｃと、を有する。
【０１９１】
スライド部材５２０は、供給通路ユニット５１０を構成する前壁面５１０ｅと、供給通路５１１の前壁面５１１ｃと、の間を前後方向にスライド移動するように構成されている。供給通路ユニット５１０の前壁面５１０ｅと供給通路５１１の前壁面５１１ｃとの間には、案内軸部材５２２が配置されている。案内軸部材５２２の一端は、供給通路ユニット５１０の前壁面５１０ｅに接続され、他端は、供給通路５１１の前壁面５１１ｃに接続されている。
【０１９２】
スライド部材５２０の押圧部材５２０ａには、案内軸部材５２２が貫通した孔部５２０ｄが形成されており、スライド部材５２０は、案内軸部材５２２に沿って前後方向に移動する。このように案内軸部材５２２に沿ってスライド部材５２０を移動させるため、スライド部材５２０の傾きを低減することができる。
【０１９３】
スライド片５２０ｂは、スライド孔部５１１ｄと対向して配置されており、その後端部５２０ｅは先細り形状である。スライド片５２０ｂの後端部５２０ｅが先細り形状であることにより、スライド移動する過程でスライド部材５２０に多少の傾きが生じた場合であっても、円滑にスライド孔部５１１ｄに挿入することができる。
【０１９４】
突出部材５２０ｃは、スライド部材５２０の下端部を構成しており、供給通路ユニット５１０の底面５１０ｄより下方に突出している。突出部材５２０ｃは、ベース部材５０１に装着される球誘導ユニット５３０によって押圧されるように構成されている。
【０１９５】
供給通路５１１は、左右方向に隣接して配置された左供給通路５１１ａと、右供給通路５１１ｂと、を有しており、左供給通路５１１ａと右供給通路５１１ｂとの間には、左供給通路５１１ａと右供給通路５１１ｂとを分けるための仕切り壁部５１１ｅが設けられている。仕切り壁部５１１ｅには、供給通路５１１内に移動したスライド片５２０ｂとの干渉を避けるための切り欠き部５１１ｆが形成されている。
【０１９６】
このように仕切り壁部５１１ｅに切り欠き部５１１ｆを形成することにより、左供給通路５１１ａと右供給通路５１１ｂに跨ってスライド片５２０ｂを挿入して、１つのスライド片５２０ｂによって左供給通路５１１ａと右供給通路５１１ｂの一部を塞ぐことが可能となる。
【０１９７】
図３４（ａ）は、球誘導ユニット５３０をベース部材５０１に装着した状態を示しておいる。（ａ）に示す状態では、スライド部材５２０は、球誘導ユニット５３０によって前方に押圧されて第２位置となる。より詳細には、球誘導ユニット５３０によって突出部材５２０ｃが前方に押圧されて、スライド部材５２０全体が案内軸部材５２２に沿って前方に移動する。スライド部材５２０が前方に移動することにより、スライド孔部５１１ｄを介して供給通路５１１内に位置していたスライド片５２０ｂが供給通路５１１外に移動する。スライド片５２０ｂが供給通路５１１外に移動することにより、供給通路５１１が開放され、供給通路５１１から球誘導ユニット５３０への遊技球２３の通過が許容される。
【０１９８】
（ｂ）は、球誘導ユニット５３０をベース部材５０１から取り外している状態を示している。（ｂ）に示す状態では、スライド部材５２０は、バネ部材５２１によって後方に押圧されて第１位置となる。より詳細には、ベース部材５０１から取り外そうとして球誘導ユニット５３０を後方に移動すると、スライド部材５２０に対する球誘導ユニット５３０の押圧が解除され、バネ部材によって押圧部材５２０ａが後方に押圧され、スライド部材５２０全体が案内軸部材５２２に沿って後方に移動する。スライド部材５２０が後方に移動することにより、供給通路５１１外に位置していたスライド片５２０ｂがスライド孔部５１１ｄを介して供給通路５１１内に移動する。スライド片５２０ｂが供給通路５１１内に移動することにより、供給通路５１１の一部が塞がれ、供給通路５１１から球誘導ユニット５３０への遊技球２３の通過が阻止される。
【０１９９】
このように球誘導ユニット５３０の着脱状態に応じてスライド部材５２０が供給通路５１１の一部を塞ぐ第１位置と、供給通路５１１を開放する第２位置と、の間を移動可能に構成されているため、球誘導ユニット５３０をベース部材５０１から取り外した際の球こぼれを防ぐことが可能となる。スライド部材５２０は、球誘導ユニット５３０とバネ部材５２１とによって移動されるため、スライド部材５２０を駆動するための駆動手段を別途設ける必要がなく、部品点数の増加や容積の増大を防ぎつつ、球こぼれによる不具合を防止することができる。
【０２００】
更に、スライド部材５２０を構成する突出部材５２０ｃは、供給通路ユニット５１０の底面５１０ｄより下方に位置しており、球誘導ユニット５３０を取り外した状態において人が容易にスライド部材５２０を操作できることが可能である。例えば、スライド部材５２０が移動する過程において不具合が発生した場合であっても、スライド部材５２０を操作して容易に不具合を解消することが可能である。
【０２０１】
また、スライド部材５２０は、前後方向に沿って配置された案内軸部材５２２に沿って移動するため、移動する過程におけるスライド部材５２０の傾きを低減することができ、スライド孔部５１１ｄとスライド部材５２０との位置ずれを防止することができ、スライド孔部５１１ｄにスライド部材５２０を円滑に挿入することができる。加えて、スライド片５２０ｂの後端部５２０ｅが先細り形状であるため、スライド部材５２０に多少の傾きが生じた場合であっても、円滑にスライド孔部５１１ｄに後端部５２０ｅを挿入して、スライド片５２０ｂを供給通路５１１内に移動させることができる。
【０２０２】
以上、本発明の好ましい実施の形態を説明したが、本発明はこれらに限定されるものではなく、その要旨の範囲内で様々な変形や変更が可能である。例えば、実施の形態１、実施の形態２及び実施の形態３に係る球誘導ユニットは、他の変形例を概念することができる。
【０２０３】
次いで、図３６及び図３７に基づいて変形例１に球誘導ユニット６３０について説明する。変形例１に係る球誘導ユニット６３０は、回転体３０１の回転軸３０１ａの周囲に中空穴部３０４が形成されており、この中空穴部３０４と対向する球誘導ユニットの右側面６３０ａに操作部材６００が挿入可能な貫通孔部６３１が形成されている。なお、実施の形態３と同様の構成については、同符号を用いて説明を省略する。図３６は、中空穴部と貫通孔部との位置関係を模式的に示した図であり、図３７は、操作部材によって回転体を操作している状態を模式的に示した図である。
【０２０４】
球誘導ユニット６３０の中空穴部３０４と対向する右側面６３０ａには、球誘導ユニット６３０の外部から回転体３０１を回転操作するための操作部材６００が挿入可能な貫通孔部６３１が複数形成されている。貫通孔部６３１は、中空穴部３０４と対向する右側面６３０ａを貫通して形成されており、回転軸方向において中空穴部３０４と対向して配置されている。
【０２０５】
図３６に示すように、いずれかの中空穴部３０４と貫通孔部６３１とは、回転軸方向において重なって配置されているが、他のいずれかの中空穴部３０４と貫通孔部６３１とは、回転軸方向においてずれて配置されている。このように、中空穴部３０４と貫通孔部６３１とがずれて配置されていたり、重なって配置されていたりすることにより、貫通孔部６３１を介して操作部材６００を中空穴部３０４に挿入したり、貫通孔部６３１を介して操作部材６００を仕切り壁３０５に係止させたりして、球誘導ユニット６３０の外部から容易に回転体３０１を回転操作することが可能となる。
【０２０６】
より詳細には、回転体３０１の回転停止時において、複数の貫通孔部６３１のうち少なくとも１の貫通孔部６３１における回転体３０１の回転軸方向（図示する左右方向）の投影領域には、仕切り壁３０５の一部が配置されており、貫通穴部から挿入された操作部材が操作可能な位置に、仕切り壁３０５の少なくとも一部が配置されている。貫通孔部６３１の回転軸方向における投影領域とは、図３６において貫通孔部６３１と重なっている部分である。図３６に示すように、１の貫通孔部６３１の回転軸方向における投影領域には、中空穴部３０４間の仕切り壁３０５が配置されている。
【０２０７】
したがって、図３７に示すように、回転体３０１の停止時において、貫通孔部６３１から挿入した操作部材６００を仕切り壁３０５に引っ掛けたり、仕切り壁３０５に隣接する中空穴部３０４に操作部材６００を挿入したりして、球誘導ユニット６３０の外部から停止状態の回転体３０１を回転操作することが可能となる。
【０２０８】
このように球誘導ユニット６３０の外部から回転体３０１を回転操作可能に構成することにより、回転体３０１近傍における球詰まりを容易に解消することができ、メンテナンスの作業効率を向上させることができる。
【符号の説明】
【０２０９】
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
９ｆ：後面
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２６：レール飾り
２６ａ：外レール
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：球貯留ユニット
４０ａ：球貯留タンク
４０ｂ：球レール
４１：賞球供給通路
４１ｃ：上面
４２：カバー部材
１００：賞球払出ユニット
１１０：供給通路ユニット
１１０ａ：右側面
１１０ｂ：左側面
１１０ｃ：上面
１１０ｄ：底面（下面）
１１１：流入口
１１２：右供給構成部
１１２ａ：内壁面
１１３：左供給構成部
１１３ａ：内壁面
１１４：中央供給構成部
１１４ａ：仕切り部
１１４ｂ：右突起壁部
１１４ｃ：左突起壁部
１１４ｄ：右端部
１１４ｅ：左端部
１１５：右供給通路
１１６：左供給通路
１１７：排出通路
１１８：揺動部材
１１８ａ：回転軸
１１９：レバー部材
１３０：球誘導ユニット
１３０ａ：右側面
１３０ｂ：左側面
１３０ｃ：上面
１３０ｄ：底面
１３０ｅ：前面
１３０ｆ：後面
１３２：延設部
１３２ａ：基端部
１３２ｂ：突起部
１３２ｃ：傾斜面
１３２ｄ：頂点
１３３：スリット
１３４：延設穴部
１３５：流入口
１３６：右誘導構成部
１３６ａ：内壁面
１３７：左誘導構成部
１３７ａ：内壁面
１３８：中央誘導構成部
１３８ａ：仕切り部
１３８ｂ：右突起壁部
１３８ｃ：左突起壁部
１３８ｄ：右端部
１３８ｅ：左端部
１３９：右誘導通路（第１誘導通路）
１４０：左誘導通路（第２誘導通路）
１４１：回転体
１４１ａ：回転盤
１４１ｂ：保持部
１４１ｃ：ガイド部
１４１ｄ：モータ
１４２：流出口
１４３：カウントセンサ
１４４：通気穴部
１５０：第１規制部
１５１：側面部
１５１ｅ：前端部
１５２：爪部
１６０：第２規制部
１６１：保持面
１６２：規制凹部
１７０：ガイドリブ
１７０ａ：右側面
２００：賞球払出ユニット
２１０：第１供給通路ユニット
２１０ｃ：上面
２１０ｄ：底面
２１１：流入口
２１２：溝部
２１３：第１供給通路
２１４：流出口
２１５：スライド部材（球止め部材）
２１５ａ：縦部材
２１５ｂ：横部材
２１６：バネ部材（球止め部材）
２３０：球誘導ユニット
２３０ｃ：上面
２３０ｄ：底面
２３０ｆ：後面
２３１：流入口
２３２：操作片（規制リブ）
２３２ａ：基端部
２３２ｂ：突起部
２３２ｃ：傾斜面
２３２ｄ：頂点
２３４：操作穴部 
２３５：流出口
２３６：誘導通路
２３７：前壁面
２３８：回転体
２３８ａ：回転軸
２３８ｂ：保持部
２３８ｃ：中空穴部
２３９：通気穴部
２４０：スリット
２５０：第１規制部
２６０：第２規制部
２６２：規制凹部
２７０：ガイドリブ
２８０：第２供給通路ユニット
２８０ｃ：上面
２８０ｆ：後面
２８１：流入口
２８３：後方開口部
３０１：回転体
３０１ａ：回転軸
３０１ｂ：保持部
３０１ｃ：第１保持リブ
３０１ｄ：第２保持リブ
３０１ｅ：第１突部
３０１ｆ：第２突部
３０１ｇ：段差部
３０１ｈ：保持間部
３０２：第１誘導通路
３０３：第２誘導通路
３０４：中空穴部
３０５：仕切り壁
３０６：通路仕切り部
５００：賞球払出ユニット
５０１：ベース部材
５１０：供給通路ユニット
５１０ｄ：底面（下面）
５１０ｅ：前壁面
５１１：供給通路
５１１ａ：左供給通路
５１１ｂ：右供給通路
５１１ｃ：前壁部
５１１ｄ：スライド孔部
５１１ｅ：仕切り壁部
５１１ｆ：切り欠き部
５１２：溝部
５２０：スライド部材
５２０ａ：押圧部材
５２０ｂ：スライド片
５２０ｃ：突出部材
５２０ｄ：孔部
５２０ｅ：後端部
５２１：バネ部材（弾性部材）
５２２：案内軸部材
５３０：球誘導ユニット
５３０ａ：右側面
５３０ｆ：後面
５３０ｇ：後壁の内壁面
５３１：操作片
５３２：誘導リブ
５３２ａ：第１誘導リブ
５３２ｂ：第２誘導リブ
５３２ｃ、５３２ｄ：傾斜面
５３２ｅ、５３２ｆ：鉛直面
５３３：排出通路（通過通路）
５３３ａ：排出通路壁部
５３４：球通過検出部材
５３４ａ：通過孔部
５５０：第１規制部
５５１：側面部
５５１ｅ：前端部
５５２：爪部
５７０：ガイドリブ
６００：操作部材
６３０：球誘導ユニット
６３０ａ：右側面
６３１：貫通孔部
【図１】
2011036329.tif 000003
【図２】
2011036329.tif 000004
【図３】
2011036329.tif 000005
【図４】
2011036329.tif 000006
【図５】
2011036329.tif 000007
【図６】
2011036329.tif 000008
【図７】
2011036329.tif 000009
【図８】
2011036329.tif 000010
【図９】
2011036329.tif 000011
【図１０】
2011036329.tif 000012
【図１１】
2011036329.tif 000013
【図１２】
2011036329.tif 000014
【図１３】
2011036329.tif 000015
【図１４】
2011036329.tif 000016
【図１５】
2011036329.tif 000017
【図１６】
2011036329.tif 000018
【図１７】
2011036329.tif 000019
【図１８】
2011036329.tif 000020
【図１９】
2011036329.tif 000021
【図２０】
2011036329.tif 000022
【図２１】
2011036329.tif 000023
【図２２】
2011036329.tif 000024
【図２３】
2011036329.tif 000025
【図２４】
2011036329.tif 000026
【図２５】
2011036329.tif 000027
【図２６】
2011036329.tif 000028
【図２７】
2011036329.tif 000029
【図２８】
2011036329.tif 000030
【図２９】
2011036329.tif 000031
【図３０】
2011036329.tif 000032
【図３１】
2011036329.tif 000033
【図３２】
2011036329.tif 000034
【図３３】
2011036329.tif 000035
【図３４】
2011036329.tif 000036
【図３５】
2011036329.tif 000037
【図３６】
2011036329.tif 000038
【図３７】
2011036329.tif 000039